(57)【特許請求の範囲】
【請求項１】
画像が記録されたシート部材に複数の色の照明光を順次、照射して当該画像の光像を作成し、その光像を撮像手段で順次、画像信号に光電変換して取り込み、それらの色の画像信号を、外部接続される出力機器の取扱可能な色の画像信号に変換して出力する画像読取装置であって、第１の三原色とこれと補色関係にある第２の三原色とからなる６種類の色が発光可能な照明手段と、上記シート部材に記録された画像の陰陽の種類を設定する第１の設定手段と、上記外部接続される出力機器の取扱可能な色の種類を設定する第２の設定手段と、上記撮像手段で取り込まれた画像信号の明暗及び色彩を反転する信号反転手段と、上記第１の設定手段で設定された画像の種類と上記第２の設定手段で設定された色の種類とに基づいて上記照明光の発光色と上記信号反転手段の反転処理の有無とを制御する制御手段とを備えたことを特徴とする画像読取装置。
【請求項２】
上記第１の三原色は加色法における三原色の赤、青、緑であり、上記第２の三原色は減色法における三原色のシアン、マゼンタ、イエローであることを特徴とする請求項１記載の画像読取装置。
【請求項３】
上記照明手段は、赤、緑、青の単色光を発光する３種類の光源とこれらの光源の発光を制御する発光制御手段とからなり、上記単色光を単独で発光し、若しくは２色以上を同時に発光して上記６種類の色を発光するものであることを特徴とする請求項２記載の画像読取装置。
【請求項４】
上記画像が記録されたシート部材は、新写真システムに適用されるフィルムからなり、上記第１の設定手段は、上記フィルムが収納されるフィルムカートリッジに記録されたフィルムの種類に関する情報を読み取り、その情報内容に基づいて画像の陰陽の種類を自動設定するものであることを特徴とする請求項１〜３のいずれかに記載の画像読取装置。
【請求項５】
請求項１記載の画像読取装置において、第１の三原色の色成分で画像処理を行なう第１の画像処理装置が外部接続される第１の接続手段と、第２の三原色の色成分で画像処理を行なう第２の画像処理装置が外部接続される第２の接続手段とを備え、上記第２の設定手段は、上記第１，第２の接続手段の接続状態を検出し、その検出結果に基づいて色の種類を自動設定するものであることを特徴とする画像読取装置。
【請求項６】
各色成分の画像信号は、上記撮像手段で取り込まれる毎に、外部接続される出力機器に順次、出力されることを特徴とする請求項１又は２記載の画像読取装置。
【請求項７】
請求項２記載の画像読取装置において、上記撮像手段で読み取られた画像信号を圧縮する画像圧縮手段と、上記第２の設定手段で上記出力機器の取扱可能な色が第１の三原色に設定されているとき、上記画像圧縮手段を動作させて画像信号の圧縮を行なわせる圧縮制御手段とを更に備えたことを特徴とする画像読取装置。
【請求項８】
上記制御手段は、上記シート部材の画像がカラーネガ画像で、上記出力機器の取扱可能な色が第１の三原色であるとき、当該カラーネガ画像を第２の三原色の単色光で照明し、上記撮像手段で取り込まれた第２の三原色の色成分からなるネガ画像信号を上記信号反転手段で第１の三原色の色成分からなるポジ画像信号に反転することを特徴とする請求項１又は２記載の画像読取装置。
【請求項９】
上記制御手段は、上記シート部材の画像がカラーネガ画像で、上記出力機器の取扱可能な色が第２の三原色であるとき、当該カラーネガ画像を第１の三原色の単色光で照明し、上記撮像手段で取り込まれた第１の三原色の色成分からなるネガ画像信号を上記信号反転手段で第２の三原色の色成分からなるポジ画像信号に反転することを特徴とする請求項１又は２記載の画像読取装置。
【請求項１０】
請求項９記載の画像読取装置において、上記照明手段は、更に白色の照明光を発光可能になされ、上記制御手段は、当該カラーネガ画像を第１の三原色の単色光と白色光とで順次、照明し、上記撮像手段で取り込まれた第１の三原色の色成分と輝度成分とからなるネガ画像信号を上記信号反転手段でポジ画像信号に反転して出力することを特徴とする画像読取装置。
【請求項１１】
上記制御手段は、上記シート部材の画像がカラーポジ画像で、上記出力機器の取扱可能な色が第２の三原色であるとき、当該カラーポジ画像を第２の三原色の単色光で照明し、上記撮像手段で取り込まれた第２の三原色の色成分からなるポジ画像信号を上記信号反転手段で反転処理することなく出力することを特徴とする請求項１又は２記載の画像読取装置。
【請求項１２】
請求項１１記載の画像読取装置において、上記照明手段は、更に白色の照明光を発光可能になされ、上記制御手段は、当該カラーポジ画像を第２の三原色の単色光と白色光とで順次、照明し、上記撮像手段で取り込まれた第２の三原色の色成分と輝度成分とからなるポジ画像信号を上記信号反転手段で反転処理することなく出力することを特徴とする画像読取装置。
【請求項１３】
上記制御手段は、上記シート部材の画像がカラーポジ画像で、上記出力機器の取扱可能な色が第１の三原色であるとき、当該カラーポジ画像を第１の三原色の単色光で照明し、上記撮像手段で取り込まれた第１の三原色の色成分からなるポジ画像信号を上記信号反転手段で反転処理することなく出力することを特徴とする請求項１又は２記載の画像読取装置。
【請求項１４】
請求項１又は２記載の画像読取装置において、上記照明手段は、更に白色の照明光を発光可能になされ、上記制御手段は、上記シート部材の画像がモノクロームネガ画像であるとき、当該モノクロームネガ画像を白色光で照明し、上記撮像手段で取り込まれた輝度成分からなるネガ画像信号を上記信号反転手段でポジ画像信号に反転して出力することを特徴とする画像読取装置。
【請求項１５】
請求項１又は２記載の画像取込装置において、更に出力信号をモノクローム信号に設定する出力色設定手段を備え、上記制御手段は、上記シート部材の画像がカラーネガ画像で、出力信号がモノクローム信号に設定されているとき、当該カラーネガ画像を白色光で照明し、上記撮像手段で取り込まれた輝度成分からなるネガ画像信号を上記信号反転手段でポジ画像信号に反転して出力することを特徴とする画像読取装置。
【請求項１６】
請求項１又は２記載の画像取込装置において、更に出力信号をモノクローム信号に設定する出力色設定手段を備え、上記制御手段は、上記シート部材の画像がカラーポジ画像で、出力信号がモノクローム信号に設定されているとき、当該カラーポジ画像を白色光で照明し、上記撮像手段で取り込まれた輝度成分からなるネガ画像信号を上記信号反転手段で反転処理することなく出力することを特徴とする画像読取装置。
【請求項１７】
請求項１又は２記載の画像読取装置において、上記撮像手段の撮像面に結像される光像の位置を当該撮像手段の画素ピッチよりも小さい所定量だけ変位させる像変位手段と、上記像変位手段を駆動して当該色の照明光による光像の上記撮像面における結像位置を変位させる像変位制御手段と、上記撮像面の結像位置が変位した光像をそれぞれ上記撮像手段で撮像させる撮像制御手段とを更に設け、少なくとも１の色について、当該色の照明光で形成される光像を像変位させて複数の画像を取り込むことを特徴とする画像読取装置。
【請求項１８】
上記照明色が加色法の三原色の単色光で照明されるときは、少なくとも緑の照明光で形成される光像について像変位させて複数の画像を取り込むことを特徴とする請求項１７記載の画像読取装置。
【請求項１９】
上記照明光が減色法の三原色の単色光で照明されるときは、少なくともマゼンタの照明光で形成される光像について像変位させて複数の画像を取り込むことを特徴とする請求項１７記載の画像読取装置。
【請求項２０】
請求項１０又は１２記載の画像読取装置において、上記撮像手段の撮像面に結像される光像の位置を当該撮像手段の画素ピッチよりも小さい所定量だけ変位させる像変位手段と、上記像変位手段を駆動して当該色の照明光による光像の上記撮像面における結像位置を変位させる像変位制御手段と、上記撮像面の結像位置が変位した光像をそれぞれ上記撮像手段で撮像させる撮像制御手段とを更に設け、白色の照明光で形成される光像について像変位させて複数の画像を取り込むことを特徴とする画像読取装置。
【請求項２１】
上記像変位手段は、上記シート部材と上記撮像手段との間に設けられ、当該撮像手段の撮像面への光像の結像位置を変位させる光学手段からなり、撮像手段に対して撮像面に投影される光像を光学的に変位させて当該撮像面への光像の結像位置を変位させることを特徴とする請求項１７〜２０のいずれかに記載の画像読取装置。
【請求項２２】
請求項１７〜２０のいずれかに記載の画像読取装置において、高精細画像読取モードを設定するモード設定手段を更に備え、上記モード設定手段で高精細画像読取モードが設定されているとき、所定の色成分について、撮像面における光像を像変位させて複数の画像を取り込むことを特徴とする画像読取装置。
【発明の詳細な説明】
【０００１】
【発明の属する技術分野】
本発明は、フィルムや用紙等のシート部材に記録された画像をＣＣＤ（ＣｈａｒｇｅＣｏｕｐｌｅｄ  Ｄｅｖｉｃｅ）エリアセンサ等の撮像素子で読み取る画像読取装置に関する。
【０００２】
【従来の技術】
従来、互いに異なる色を発光する複数個のフラッシュチューブを備え、各フラッシュチューブで多色原稿を照明して、色成分に分離した光像を形成し、その光像を撮像手段で画像信号に光電変換して読み取る画像読取装置が知られている（特開昭５９−８００５９号）。
【０００３】
また、フィルムに撮影された画像をＣＣＤラインセンサで画像信号に光電変換して取り込むフィルムスキャナーにおいて、Ｒ，Ｇ，Ｂの照明光源を有し、各色の照明光でフィルムを順次、照明し、その照明により形成される光像をＣＣＤラインセンサで読み取るものが商品化されている。
【０００４】
【発明が解決しようとする課題】
ところで、フィルムに撮影された画像（以下、フィルム画像という。）を画像信号に光電変換して取り込み、その画像信号を用いてフィルム画像をモニタテレビに再生したり、プリンタで記録紙に出力したりする場合、フィルムにはカラーネガ、カラーポジ、モノクロームネガの３種類がある一方、出力機器にもＣＲＴ（Ｃａｔｈｏｄｅ  Ｒａｙ  Ｔｕｂｅ）等のように加色法の三原色Ｒ（赤），Ｇ（緑），Ｂ（青）の色成分信号を用いて画像処理を行なうものと、プリンタ等のように減色法の三原色Ｃ（シアン），Ｍ（マゼンタ），Ｙ（イエロー）の色成分信号を用いて画像処理を行なうものとがある。
【０００５】
このため、画像読取装置と出力機器とを組み合わせてフィルム画像を出力するシステムを構成する場合、画像読取装置では、フィルムの種類に適した色成分に分解してフィルム画像を読み取り、その色成分の画像信号を出力機器で取り扱うことのできる色成分の画像信号に変換して出力することが望ましい。
【０００６】
例えばカラーネガフィルムのフィルム画像をプリンタで出力する場合は、Ｒ，Ｇ，Ｂの色成分に分解してフィルム画像を読み取り、Ｒ，Ｇ，Ｂの色成分のネガ画像信号をＣ，Ｍ，Ｙの色成分のポジ画像信号に変換してプリンタに出力することが好ましく、カラーポジフィルムのフィルム画像をモニタテレビに出力する場合は、Ｒ，Ｇ，Ｂの色成分に分解してフィルム画像を読み取り、Ｒ，Ｇ，Ｂの色成分のポジ画像信号をそのままモニタテレビに出力することが好ましい。
【０００７】
しかし、上記従来の画像読取装置は、Ｒ，Ｇ，Ｂの色を発光する複数個の光源を設け、各色でカラー原稿やカラーネガフィルムを照明することによりＲ，Ｇ，Ｂの色成分に分解された画像信号を取り込むのみであり、フィルムの種類に応じて光源の色を選択するとともに、出力機器の取扱色に応じて出力される画像信号を調整するものではない。
【０００８】
従って、カラーネガ、カラーポジ、モノクロームネガ等の種々のフィルムの撮影画像を読み取ってその画像信号をモニタテレビやプリンタ等の種々の出力機器に出力できる画像読取システムにおいては、撮像対象と出力対象との組み合わせによって画像信号の取り扱いが適切でない場合が生じる。
【０００９】
本発明は、上記課題に鑑みてなされたものであり、撮像対象の色成分に応じて最も適した色成分に分解して画像信号を読み取り、出力機器の取扱可能な色成分の画像信号に変換して当該出力機器に出力することにより画質劣化の少ない画像読取装置を提供するものである。
【００１０】
【課題を解決するための手段】
本発明は、画像が記録されたシート部材に複数の色の照明光を順次、照射して当該画像の光像を作成し、その光像を撮像手段で順次、画像信号に光電変換して取り込み、それらの色の画像信号を、外部接続される出力機器の取扱可能な色の画像信号に変換して出力する画像読取装置であって、第１の三原色とこれと補色関係にある第２の三原色とからなる６種類の色が発光可能な照明手段と、上記シート部材に記録された画像の陰陽の種類を設定する第１の設定手段と、上記外部接続される出力機器の取扱可能な色の種類を設定する第２の設定手段と、上記撮像手段で取り込まれた画像信号の明暗及び色彩を反転する信号反転手段と、上記第１の設定手段で設定された画像の種類と上記第２の設定手段で設定された色の種類とに基づいて上記照明光の発光色と上記信号反転手段の反転処理の有無とを制御する制御手段とを備えたものである（請求項１）。なお、上記第１の三原色は加色法における三原色の赤、青、緑とし、上記第２の三原色は減色法における三原色のシアン、マゼンタ、イエローとするとよい（請求項２）。
【００１１】
上記構成によれば、第１の設定手段で設定された画像の種類に基づいて照明光の発光色が設定され、この発光色でシート部材が順次、照明され、その照明により作成された光像が撮像手段で画像信号に光電変換して取り込まれる。また、第１の設定手段で設定された画像の種類と第２の設定手段で設定された色の種類とに基づいて信号反転手段の反転処理の有無が設定され、撮像手段で取り込まれた画像信号の明暗及び色彩の反転処理を行うことで、あるいはその反転処理を行なわないことで、外部接続される出力機器の取扱可能な色の画像信号に変換されて出力される。
【００１２】
例えば画像信号が第１の三原色のカラーネガ信号で、出力機器の取扱可能な色が第２の三原色のとき、シート部材に記録された画像を第１の三原色からなる発光色、例えば赤，緑，青の発光色で照明して撮像手段で読み取られ、その画像信号の明暗及び色彩の反転処理を行って第２の三原色からなるカラーポジ信号が出力される。また、画像信号が第２の三原色のカラーポジ信号で、出力機器の取扱可能な色が第２の三原色のとき、シート部材に記録された画像を第２の三原色からなる発光色、例えばシアン、マゼンタ、イエローの発光色で照明して撮像手段で読み取られ、その画像信号の明暗及び色彩の反転処理を行うことなく第２の三原色からなるカラーポジ信号が出力される。
【００１３】
また、上記画像読取装置において、上記照明手段は、赤、緑、青の単色光を発光する３種類の光源とこれらの光源の発光を制御する発光制御手段とからなり、上記単色光を単独で発光し、若しくは２色以上を同時に発光して上記６種類の色を発光するとよい（請求項３）。
【００１４】
上記構成によれば、Ｒ（赤），Ｇ（緑），Ｂ（青）の単色光を単独で発光させて第１の三原色（Ｒ，Ｇ，Ｂ）の照明光が発光され、Ｒ，Ｇ，Ｂのうちの２色を同時に発光させて第２の三原色（Ｃ（シアン），Ｍ（マゼンタ），Ｙ（イエロー））の照明光が発光される。すなわち、ＧとＢを同時に発光させてＣの色が発光され、ＢとＲを同時に発光させてＭの色が発光され、ＲとＧを同時に発光させてＹの色が発光される。
【００１５】
また、上記画像読取装置において、上記画像が記録されたシート部材は、新写真システムに適用されるフィルムからなり、上記第１の設定手段は、上記フィルムが収納されるフィルムカートリッジに記録されたフィルムの種類に関する情報を読み取り、その情報内容に基づいて画像の陰陽の種類を自動設定するとよい（請求項４）。
【００１６】
上記構成によれば、画像読取装置にフィルムカートリッジが装填されると、当該フィルムカートリッジに記録されたフィルムの種類に関する情報が自動的に読み取られ、その読取内容に基づいてフィルムに記録された画像の陰陽（ネガ／ポジ）の種類が設定される。
【００１７】
また、上記画像読取装置において、第１の三原色の色成分で画像処理を行なう第１の画像処理装置が外部接続される第１の接続手段と、第２の三原色の色成分で画像処理を行なう第２の画像処理装置が外部接続される第２の接続手段とを備え、上記第２の設定手段は、上記第１，第２の接続手段の接続状態を検出し、その検出結果に基づいて画像の色の種類を自動設定するようにするとよい（請求項５）。
【００１８】
上記構成によれば、第１，第２の接続手段への出力機器の接続状態が自動的に検出され、その検出結果に基づいて出力機器の取扱可能な色の種類が設定される。すなわち、第１の接続手段のみに出力機器が接続されているときは、取扱可能な色が第１の三原色に設定され、第２の接続手段のみに出力機器が接続されているときは、取扱可能な色が第２の三原色に設定される。また、第１，第２の接続手段に出力機器が接続されているとき、予め設定された優先順位に従って取扱可能な色が設定される。例えば第１の接続手段に接続される出力機器が優先されていると、取扱可能な色が第１の三原色に設定される。
【００１９】
また、上記画像読取装置において、各色成分の画像信号は、上記撮像手段で取り込まれる毎に、外部接続される出力機器に順次、出力するとよい（請求項６）。
【００２０】
上記構成によれば、シート部材に記録された画像は三原色の色成分に分解されて撮像手段で順次、読み取られるが、各色成分の画像が読み取られる毎にその画像信号が出力機器の取扱可能な色成分の画像信号に変換されて当該出力機器に出力される。
【００２１】
例えば画像信号が第１の三原色のカラーネガ信号で、出力機器の取扱可能な色が第２の三原色のとき、まず、シート部材に記録された画像をＲの発光色で照明して撮像手段で読み取られ、そのＲの色成分のネガ信号はシアンの色成分のポジ信号に反転されて第２の出力機器に出力される。次に、シート部材に記録された画像をＧの発光色で照明して撮像手段で読み取られ、そのＧの色成分のネガ信号はマゼンタの色成分のポジ信号に反転されて第２の出力機器に出力され、最後にシート部材に記録された画像をＢの発光色で照明して撮像手段で読み取られ、そのＢの色成分のネガ信号はイエローの色成分のポジ信号に反転されて第２の出力機器に出力される。
【００２２】
また、本発明は、請求項２記載の画像読取装置において、上記撮像手段で読み取られた画像信号を圧縮する画像圧縮手段と、上記第２の設定手段で上記出力機器の取扱可能な色が第１の三原色に設定されているとき、上記画像圧縮手段を動作させて画像信号の圧縮を行なわせる圧縮制御手段とを更に備えたものである（請求項７）。
【００２３】
上記構成によれば、外部接続される出力機器の取扱可能な色が加色法における三原色の赤、青、緑であると、これらの色成分の画像信号は画像圧縮手段で圧縮されて出力機器に出力され、外部接続される出力機器の取扱可能な色が減色法における三原色のシアン、マゼンタ、イエローであると、これらの色成分の画像信号は画像圧縮手段で圧縮されることなくそのまま出力機器に出力される。すなわち、例えば出力機器がＲ，Ｇ，Ｂの色成分で画像処理を行なうパーソナルコンピュータの場合は、画像信号は圧縮されて出力され、出力機器がＣ，Ｍ，Ｙの色成分で画像処理を行なうプリンタの場合は、画像信号は圧縮されないで出力される。
【００２４】
また、本発明は、上記画像読取装置において、上記制御手段は、上記シート部材の画像がカラーネガ画像で、上記出力機器の取扱可能な色が第１の三原色であるとき、当該カラーネガ画像を第２の三原色の単色光で照明し、上記撮像手段で取り込まれた第２の三原色の色成分からなるネガ画像信号を上記信号反転手段で第１の三原色の色成分からなるポジ画像信号に反転するものである（請求項８）。
【００２５】
上記構成によれば、シート部材に記録されたカラーネガ画像を第２の三原色からなる発光色（例えばＣ，Ｍ，Ｙの発光色）で順次、照明して撮像手段でそれぞれ読み取られ、それらの画像信号の明暗及び色彩の反転処理を行って第１の三原色（Ｒ，Ｇ，Ｂ）の色成分からなるカラーポジ信号が第１の三原色の色成分で画像処理を行なう出力機器に出力される。
【００２６】
また、本発明は、上記画像読取装置において、上記制御手段は、上記シート部材の画像がカラーネガ画像で、上記出力機器の取扱可能な色が第２の三原色であるとき、当該カラーネガ画像を第１の三原色の単色光で照明し、上記撮像手段で取り込まれた第１の三原色の色成分からなるネガ画像信号を上記信号反転手段で第２の三原色の色成分からなるポジ画像信号に反転するものである（請求項９）。
【００２７】
上記構成によれば、シート部材に記録されたカラーネガ画像を第１の三原色からなる発光色（例えばＲ，Ｇ，Ｂの発光色）で順次、照明して撮像手段で読み取られ、それらの画像信号の明暗及び色彩の反転処理を行って第２の三原色（Ｃ，Ｍ，Ｙ）の色成分からなるカラーポジ信号が第２の三原色の色成分で画像処理を行なう出力機器に出力される。
【００２８】
また、本発明は、請求項９記載の画像読取装置において、上記照明手段は、更に白色の照明光を発光可能になされ、上記制御手段は、当該カラーネガ画像を第１の三原色の単色光と白色光とで順次、照明し、上記撮像手段で取り込まれた第１の三原色の色成分と輝度成分とからなるネガ画像信号を上記信号反転手段でポジ画像信号に反転して出力するものである（請求項１０）。
【００２９】
上記構成によれば、シート部材に記録されたカラーネガ画像を第１の三原色からなる発光色（例えばＲ，Ｇ，Ｂの発光色）と白色光とで順次、照明して撮像手段で読み取られ、それらの画像信号の明暗及び色彩の反転処理を行って第２の三原色（Ｃ，Ｍ，Ｙ）の色成分と輝度成分とからなるカラーポジ信号が第２の三原色の色成分で画像処理を行なう出力機器に出力される。
【００３０】
また、本発明は、上記画像読取装置において、上記制御手段は、上記シート部材の画像がカラーポジ画像で、上記出力機器の取扱可能な色が第２の三原色であるとき、当該カラーポジ画像を第２の三原色の単色光で照明し、上記撮像手段で取り込まれた第２の三原色の色成分からなるポジ画像信号を上記信号反転手段で反転処理することなく出力するものである（請求項１１）。
【００３１】
上記構成によれば、シート部材に記録されたカラーポジ画像を第２の三原色からなる発光色（例えばＣ，Ｍ，Ｙ）で順次、照明して撮像手段で読み取られ、それらの画像信号がそのまま第２の三原色の色成分で画像処理を行なう出力機器に出力される。
【００３２】
また、本発明は、請求項１１記載の画像読取装置において、上記照明手段は、更に白色の照明光を発光可能になされ、上記制御手段は、当該カラーポジ画像を第２の三原色の単色光と白色光とで順次、照明し、上記撮像手段で取り込まれた第２の三原色の色成分と輝度成分とからなるポジ画像信号を上記信号反転手段で反転処理することなく出力するものである（請求項１２）。
【００３３】
上記構成によれば、シート部材に記録されたカラーポジ画像を第２の三原色からなる発光色（例えばＣ，Ｍ，Ｙの発光色）と白色光とで順次、照明して撮像手段で読み取られ、それらの画像信号がそのまま第２の三原色の色成分で画像処理を行なう出力機器に出力される。
【００３４】
また、本発明は、上記画像読取装置において、上記制御手段は、上記シート部材の画像がカラーポジ画像で、上記出力機器の取扱可能な色が第１の三原色であるとき、当該カラーポジ画像を第１の三原色の単色光で照明し、上記撮像手段で取り込まれた第１の三原色の色成分からなるポジ画像信号を上記信号反転手段で反転処理することなく出力するものである（請求項１３）。
【００３５】
上記構成によれば、シート部材に記録されたカラーポジ画像を第１の三原色からなる発光色（例えばＲ，Ｇ，Ｂ）で順次、照明して撮像手段で読み取られ、それらの画像信号がそのまま第１の三原色の色成分で画像処理を行なう出力機器に出力される。
【００３６】
また、本発明は、上記画像読取装置において、上記照明手段は、更に白色の照明光を発光可能になされ、上記制御手段は、上記シート部材の画像がモノクロームネガ画像であるとき、当該モノクロームネガ画像を白色光で照明し、上記撮像手段で取り込まれた輝度成分からなるネガ画像信号を上記信号反転手段でポジ画像信号に反転して出力するものである（請求項１４）。
【００３７】
上記構成によれば、シート部材に記録されたモノクロームネガ画像を白色光で照明して撮像手段で読み取られ、その画像信号の明暗の反転処理を行って輝度ポジ信号が第１若しくは第２の三原色の色成分で画像処理を行なう出力機器に出力される。
【００３８】
また、本発明は、上記画像読取装置において、更に出力信号をモノクローム信号に設定する出力色設定手段を備え、上記制御手段は、上記シート部材の画像がカラーネガ画像で、出力信号がモノクローム信号に設定されているとき、当該カラーネガ画像を白色光で照明し、上記撮像手段で取り込まれた輝度成分からなるネガ画像信号を上記信号反転手段でポジ画像信号に反転して出力するものである（請求項１５）。
【００３９】
上記構成によれば、シート部材に記録されたカラーネガ画像を白色光で照明して撮像手段で読み取られ、その画像信号の明暗の反転処理を行って輝度ポジ信号が第１若しくは第２の三原色の色成分で画像処理を行なう出力機器に出力される。
【００４０】
また、本発明は、上記画像読取装置において、更に出力信号をモノクローム信号に設定する出力色設定手段を備え、上記制御手段は、上記シート部材の画像がカラーポジ画像で、出力信号がモノクローム信号に設定されているとき、当該カラーポジ画像を白色光で照明し、上記撮像手段で取り込まれた輝度成分からなるネガ画像信号を上記信号反転手段で反転処理することなく出力するものである（請求項１６）。
【００４１】
上記構成によれば、シート部材に記録されたカラーポジ画像を白色光で照明して撮像手段で読み取られ、その画像信号（輝度ポジ信号）がそのまま第１若しくは第２の三原色の色成分で画像処理を行なう出力機器に出力される。
【００４２】
また、本発明は、上記画像読取装置において、上記撮像手段の撮像面に結像される光像の位置を当該撮像手段の画素ピッチよりも小さい所定量だけ変位させる像変位手段と、上記像変位手段を駆動して当該色の照明光による光像の上記撮像面における結像位置を変位させる像変位制御手段と、上記撮像面の結像位置が変位した光像をそれぞれ上記撮像手段で撮像させる撮像制御手段とを更に設け、少なくとも１の色について、当該色の照明光で形成される光像を像変位させて複数の画像を取り込むものである（請求項１７）。
【００４３】
上記構成によれば、シート部材に記録された画像を第１若しくは第２の三原色からなる発光色で順次、照明して撮像手段で読み取る際、少なくとも１の１の色については、当該色の照明光で形成される光像を撮像手段の画素ピッチよりも小さい所定量で像変位させて複数の画像が取り込まれる。
【００４４】
また、本発明は、請求項１７記載の画像読取装置において、上記照明色が加色法の三原色の単色光で照明されるときは、少なくとも緑の照明光で形成される光像について像変位させて複数の画像を取り込むものである（請求項１８）。
【００４５】
上記構成によれば、シート部材に記録された画像を第１の三原色からなる発光色（例えばＲ，Ｇ，Ｂの発光色）で順次、照明して撮像手段でそれぞれ読み取る際、例えばＧの色については像変位させて２枚の画像が取り込まれる。
【００４６】
また、本発明は、請求項１７記載の画像読取装置において、上記照明光が減色法の三原色の単色光で照明されるときは、少なくともマゼンタの照明光で形成される光像について像変位させて複数の画像を取り込むものである（請求項１９）。
【００４７】
上記構成によれば、シート部材に記録された画像を第２の三原色からなる発光色（例えばＣ，Ｍ，Ｙの発光色）で順次、照明して撮像手段でそれぞれ読み取る際、例えばＭの色については像変位させて２枚の画像が取り込まれる。
【００４８】
また、本発明は、請求項１０又は１２記載の画像読取装置において、上記撮像手段の撮像面に結像される光像の位置を当該撮像手段の画素ピッチよりも小さい所定量だけ変位させる像変位手段と、上記像変位手段を駆動して当該色の照明光による光像の上記撮像面における結像位置を変位させる像変位制御手段と、上記撮像面の結像位置が変位した光像をそれぞれ上記撮像手段で撮像させる撮像制御手段とを更に設け、白色の照明光で形成される光像について像変位させて複数の画像を取り込むものである（請求項２０）。
【００４９】
上記構成によれば、シート部材に記録された画像を第１若しくは第２の三原色からなる発光色と白色光とで順次、照明して撮像手段で読み取る際、白色については、当該白色の照明光で形成される光像を撮像手段の画素ピッチよりも小さい所定量で像変位させて複数の画像が取り込まれる。
【００５０】
なお、上記像変位手段は、上記シート部材と上記撮像手段との間に設けられ、当該撮像手段の撮像面への光像の結像位置を変位させる光学手段からなり、撮像手段に対して撮像面に投影される光像を光学的に変位させて当該撮像面への光像の結像位置を変位させるとよい（請求項２１）。
【００５１】
上記構成によれば、シート部材と撮像手段との間に光学手段を設け、この光学手段により撮像手段に対して撮像面に投影される光像を光学的に変位させて当該光像の撮像手段の撮像面への結像位置が撮像手段の画素ピッチよりも小さい所定量で変位される。
【００５２】
なお、上記画像読取装置において、高精細画像読取モードを設定するモード設定手段を更に備え、上記モード設定手段で高精細画像読取モードが設定されているとき、所定の色成分について、撮像面における光像を像変位させて複数の画像を取り込むようにするとよい（請求項２２）。
【００５３】
上記構成によれば、モード設定手段で高精細読取モードが設定されているときに、所定の色成分について、撮像面における光像を像変位させて複数の画像が取り込まれる。
【００５４】
【発明の実施の形態】
本発明に係る画像読取装置について、フィルムの各コマに撮影された画像を読み取るフィルム画像読取装置を例に説明する。
【００５５】
図１は、フィルム画像読取装置の第１の実施形態のブロック構成図である。
【００５６】
同図に示すフィルム画像読取装置１は、新写真システム（ＡＰＳ：Ａｄｖａｎｃｅｄ  Ｐｈｏｔｏ  Ｓｙｓｔｅｍ）に適用されるフィルム５の各コマに撮影された画像（フィルム画像）を画像信号に光電変換して取り込み、その画像信号を外部接続されたパーソナルコンピュータ３０又はプリンタ４０に出力可能になっている。
【００５７】
同図において、フィルム給送部２は、フィルム５の給送を行うものである。フィルム給送部２には、図略のフィルム給送ローラを駆動する駆動モータとこの駆動モータの駆動を制御するモータドライバとが含まれている。フィルム給送部２の駆動は、フィルム画像読取装置１の画像読取動作を集中制御する制御部１８により制御される。フィルム給送部２は、装置本体のフィルム装填室に装填されたフィルムカートリッジ４からフィルム５を押し出して先頭コマを所定の画像読取位置に給送する（このフィルム給送をイニシャルローディングという。）とともに、操作部１９により指定されたコマの画像を取り込むべくそのコマを所定の画像読取位置まで給送する。また、操作部１９によりフィルムカートリッジ４のイジェクトが指示されると、フィルム５をフィルムカートリッジ４内に完全に収納する。
【００５８】
照明部３は、白色（Ｗｈ）、加色法における三原色の赤（Ｒ），緑（Ｇ），青（Ｂ）及び減色法における三原色のシアン（Ｃ），マゼンタ（Ｍ），イエロー（Ｙ）の合計７色の色が発光可能になされ、フィルム５のネガ／ポジの種類に応じた所定の色で所定の画像読取位置に給送されたコマを所定の照度で照明するものである。
【００５９】
図２は、第１の実施形態に係る照明部３の構成を示す図である。
【００６０】
同図に示す照明部３は、白色光源３０１とＲ，Ｇ，Ｂ，Ｃ，Ｍ，Ｙの色フィルタ３０２ｂ〜３０２ｇが円板状のベースにターレット状に配列されたフィルタ部材３０２とこのフィルタ部材３０２を回転駆動するステップモータからなる駆動部材３０３とこのフィルタ部材３０２の回転位置（色フィルタの設定）を検出するフォトリフレクタ等の位置検出センサ３０４とから構成されている。
【００６１】
白色光源３０１は、例えば白色蛍光ランプを備え、この白色蛍光ランプからの発光を反射傘でフィルム５側に反射するとともに、拡散板で照度分布を均一にしてフィルム５に照射するように構成されている。また、フィルタ部材３０２は、上記色フィルタ３０２ｂ〜３０２ｇの他に透明板３０２ａを有し、透明板３０２ａ又は色フィルタ３０２ｂ〜３０２ｇのいずれかを白色光源３０１とフィルム５との間に切換設定することにより、フィルム５をＷｈ，Ｒ，Ｇ，Ｂ，Ｃ，Ｍ，Ｙのいずれかの色で照明できるようになっている。フィルタ部材３０２の切換設定は駆動部材３０３の駆動を制御することにより行なわれ、制御部１８は位置検出センサ３０４からの検出信号に基づいて駆動部材３０３の駆動量を制御することによりフィルタ部材３０２の切換設定を行う。なお、光源としてＸｅ管等の白色放電管を用いてもよい。
【００６２】
図３は、第２の実施形態に係る照明部の概略構成を示す図である。
【００６３】
同図に示す照明部３′は、Ｒ，Ｇ，Ｂの各色を発光する複数個のＬＥＤ（ｌｉｇｈｔ  ｅｍｉｔｔｉｎｇ  ｄｉｏｄｅ）３０１ａ′を隣接するＲ，Ｇ，Ｂの各色がデルタ形となるように配列してなる光源３０１′と拡散板３０５とで構成したものである。第２の実施形態に係る照明部３′は、全てのＬＥＤ３０１ａ′を略同一の強度で発光することにより白色光が発光され、Ｇの色のＬＥＤ３０１ａ′とＢの色のＬＥＤ３０１ａ′を略同一の強度で発光することによりＣの色の光が、Ｂの色のＬＥＤ３０１ａ′とＲの色のＬＥＤ３０１ａ′を略同一の強度で発光することによりＭの色の光が、また、Ｒの色のＬＥＤ３０１ａ′とＧの色のＬＥＤ３０１ａ′を略同一の強度で発光することによりＹの色の光が発光される。
【００６４】
図４は、第３の実施形態に係る照明部の概略構成を示す図である。
【００６５】
同図に示す照明部３″は、Ｒ，Ｇ，Ｂの各色の複数個のＬＥＤ３０１ａ″がＲ，Ｇ，Ｂの順にサイクリックに繰り返されて一列に配列された光源３０１″と光源３０１″からの各色の光をフィルム５側に導く導光板３０６と拡散板３０５とから構成したものである。導光板３０６は板状の光学部材からなり、一側面３０６ａに光の入射面が形成され、この入射面３０６ａに直交する一方の平板面３０６ｂに光の出射面が形成されている。出射面３０６ｂに対向する他方の平板面３０６ｃは、入射面３０６ａからこれに対向する他方の側面３０６ｄに向かって先窄まりとなるように所定の角度で傾斜されており、入射面３０６ａから入射された光は当該平板面３０６ｃで反射されて出射面３０６ｂから出射されるようになっている。
【００６６】
第３の実施形態に係る照明部３″も全てのＬＥＤ３０１ａ″を略同一の強度で発光することにより白色光が発光される。すなわち、光源３０１″の全てのＬＥＤ３０１ａ″を略同一の強度で発光させると、Ｒ，Ｇ，Ｂの各色の光は導光板３０６で混合されつつ平板面３０６ｃから出射され、更に拡散板３０５で拡散（均一に混合）されてフィルム５には白色光が照射される。また、Ｇの色のＬＥＤ３０１ａ″とＢの色のＬＥＤ３０１ａ″を略同一の強度で発光することによりＣの色の光が、Ｂの色のＬＥＤ３０１ａ′とＲの色のＬＥＤ３０１ａ′を略同一の強度で発光することによりＭの色の光が、また、Ｒの色のＬＥＤ３０１ａ′とＧの色のＬＥＤ３０１ａ′を略同一の強度で発光することによりＹの色の光が発光される。
【００６７】
図１に戻り、フィルム情報読取部６は、フィルムカートリッジ４に収納されたフィルム５に関する情報（フィルム撮影枚数、ＩＳＯ感度、カラー／モノクロ、ネガ／ポジ等の情報。以下、フィルム情報という。）を読み取るものである。フィルムカートリッジ４の一方端部にはフィルム情報がバーコードで記録されたコード板がスプールと一体回転可能に設けられており、フィルム情報読取部６は、フィルムカートリッジ４のスプールを回転させて収納されたフィルム５をカートリッジから引き出し、フィルム給送ローラに巻き付けるイニシャルローディングの際にコード板に記録されたバーコードを読み取る。すなわち、フィルム情報読取部６はフォトリフレクタ等の光センサで構成され、イニシャルローディング時にコード板の回転により光センサをバーコードに対して相対走査させて読み取り、制御部１８に出力する。制御部１８では、フィルム情報読取部６から入力されるコード信号をデコードしてフィルム情報の内容が解読され、図略のメモリに格納される。
【００６８】
また、磁気情報読取部７は、フィルム５の磁気記録部に磁気的に記録された撮影に関する情報（撮影情報、露出条件、撮影倍率等の情報。以下、Ｉｘデータという。）の読み取り又は書き込みを行うものである。なお、磁気記録部は、フィルム５の各コマ毎にそのコマ位置に平行して設けられた帯状の記録部である。磁気情報読取部７は磁気ヘッド及び磁気ヘッドで検出された信号をＩｘデータに変換し又は書き込むべきＩｘデータを磁気ヘッドの駆動信号に変換する信号処理回路を備えている。磁気情報読取部７の駆動も制御部１８により制御され、磁気情報読取部７はフィルム５を給送することで磁気ヘッドを各コマの磁気記録部に対して相対的に移動させ、これにより各コマのＩｘデータの読み取り又は書き込みを行う。読み取られたＩｘデータは制御部１８に入力され、それをデコードして磁気情報の内容が解読され、図略のメモリに格納される。
【００６９】
撮影レンズ８は、フィルム５の各コマの画像を撮像素子９の撮像面に結像するものである。撮像素子９は、フィルム５の各コマの画像（光像）を画像信号に光電変換して取り込む光電変換素子である。本実施の形態では、カラーフィルムに撮影されたカラー画像を読み取るに当たり、Ｒ，Ｇ，Ｂの光源若しくはＣ，Ｍ，Ｙの光源を用いて三原色の成分色の照明をすることでカラー画像を色成分の光像に分解するようにしているので、撮像素子９は、複数の画素をマトリックス状に配置してなるモノクロームタイプのＣＣＤエリアセンサで構成されている。従って、カラー画像を読み取るときは、少なくとも３種類の色の照明光を切り換えてフィルム５を照明し、撮像素子９で撮像動作が３回行なわれる。
【００７０】
アナログプロセス回路１０は、ＣＤＳ回路（Ｃｏｒｒｅｌａｔｉｖｅ  Ｄｏｕｂｌｅ  Ｓａｍｐｌｉｎｇ）回路及びアナログアンプを有し、撮像素子９（以下、ＣＣＤ９という。）から出力される画像信号（アナログ信号）のサンプリングノイズの低減やレベル調整等の所定のアナログ信号処理を行うものである。アナログプロセス回路１０は、Ｒ，Ｇ，Ｂの各色成分の画像信号毎にアナログ信号処理を行う。
【００７１】
Ａ／Ｄ変換回路１１は、アナログプロセス回路１０から出力される画像信号を、例えば１０ビット構成のデジタル信号からなる画像信号（以下、画像データという。）に変換するものである。
【００７２】
タイミングジェネレータ（Ｔ・Ｇ）１２は、ＣＣＤ９の撮像動作（電荷蓄積動作）を制御する制御信号を生成するとともに、ＣＣＤ９、アナログプロセス回路１０、Ａ／Ｄ変換回路１１及び画像処理部１３の信号処理に対するタイミング信号を生成するものである。タイミングジェネレータ１２は、基準クロック発生回路を有し、この基準クロック発生回路で発生した基準クロックに基づいてＣＣＤ９の駆動制御信号とタイミング信号とを生成し、それぞれＣＣＤ９、アナログプロセス回路１０、Ａ／Ｄ変換回路１１及び画像処理部１３に出力する。
【００７３】
ＣＣＤ９では、タイミングジェネレータ１２から入力される駆動制御信号に基づいてコマ画像の撮像が行われる。また、ＣＣＤ９、アナログプロセス回路１０、Ａ／Ｄ変換回路１１及び画像処理部１３ではタイミングジェネレータ１２から入力されるタイミング信号に基づいてＣＣＤ９からの画像信号の読出し、アナログ信号処理、Ａ／Ｄ変換及びデジタル信号処理（後述）の一連の信号処理が行われる。
【００７４】
画像処理部１３は、Ａ／Ｄ変換回路１１から入力され画像データに対してホワイトバランス（ＷＢ）調整、階調（γ）補正等の所定のデジタル信号処理を行うものである。また、画像処理部１３にはネガ／ポジ反転処理部１３１が設けられ、画像処理部１３は必要に応じて画像データの明暗を反転するとともに、カラー画像の場合、色相を補色に反転する。ネガ／ポジ反転処理は、制御部１８からの反転指令に従って行なわれ、非反転が指示されていると、画像処理部１３ではＷＢ調整後に反転処理を行うことなくγ補正が行われ、制御部１８から反転処理が指示されていると、画像処理部１３では、下記表１のように、ＷＢ調整後の画像データの明暗及び色相が反転される。
【００７５】
【表１】
0003552602.tif 000002
【００７６】
また、画像処理部１３には、例えばＪＰＥＧ（Ｊｏｉｎｔ  Ｐｈｏｔｏｇｒａｐｈｉｃ  Ｃｏｄｉｎｇ  Ｇｒｏｕｐ）方式等の圧縮方式により画像データの圧縮を行なう画像圧縮部１３２が設けられ、画像処理部１３では必要に応じて画像データの圧縮処理が行なわれる。画像処理部１３での画像圧縮は、制御部１８からの圧縮指令に従って行なわれ、画像データが外部接続されたパーソナルコンピュータ３０（以下、ＰＣ３０と略称する。）に出力されるとき、当該画像データの圧縮が行なわれ、画像データが外部接続されたプリンタ４０（以下、ＰＲ４０と略称する。）に出力されるとき、当該画像データの圧縮を行なわれない。
【００７７】
このように画像データをＰＣ３０に出力するとき、画像データの圧縮を行なうのは、画像データのデータ量を低減してＰＣ３０への転送時間を図るためである。一方、画像データをＰＲ４０に出力するときは画像データの圧縮を行なわないのは、ＰＲ４０側に圧縮データの伸長回路を設ける必要があり、ＰＲ４０が高価になることやＰＲ４０への画像データの転送時間の短縮は期待できてもプリントアウトまでの全体的な処理時間を考えると、ＰＣ３０に画像データを転送する場合のような時間短縮は期待できないからである。
【００７８】
従って、画像処理部１３では、Ａ／Ｄ変換回路１１から入力された画像データはＲ，Ｇ，Ｂ若しくはＣ，Ｍ，Ｙの色成分毎にＷＢ調整され、反転指示がされているときはネガ／ポジ反転処理が行われ、また、非反転指示がされているときはネガ／ポジ反転処理が行われることなく所定のガンマ特性に従って階調補正が行われ、更に画像データがＰＣ３０に出力されるものでは、画像圧縮が行なわれる。
【００７９】
なお、画像圧縮部１３２を省略し、ＰＣ３０に出力するときにも画像データを圧縮することなく転送するようにしてもよい。このようにすれば、画像処理部１３の構成が簡単になり、コスト低減に寄与する効果がある。
【００８０】
画像メモリ１４は、画像処理部１３から出力される画像データを記憶するメモリである。画像メモリ１４は、内部に各色成分毎にフレーム画像１枚分の画像データを記憶し得る容量を有している。メモリコントローラ１５は、画像メモリ１５への画像データの書込／読出を制御するものである。
【００８１】
出力Ｉ／Ｏ１６は、画像メモリ１４に記憶された画像データの外部接続されたパーソナルコンピュータ３０（以下、ＰＣ３０と略称する。）若しくはプリンタ４０（以下、ＰＲ４０と略称する。）への出力を制御するものである。また、コネクタ１７ａはＰＣ３０を外部接続するためのケーブル接続端子であり、コネクタ１７ｂはＰＲ４０を外部接続するためのケーブル接続端子である。ＰＣ３０又はＰＲ４０の接続の有無は出力Ｉ／Ｏ１６により検出され、その検出情報は制御部１８に入力される。そして、出力Ｉ／Ｏ１６の駆動は制御部１８により出力機器の接続情報に基づいて制御される。すなわち、ＰＣ３０が接続されているときは、当該ＰＣ３０と交信しつつＰＣ３０からのコマンドに従って画像メモリ１４に記憶された画像データが出力Ｉ／Ｏ１６及びコネクタ１７ａを介してＰＣ３０に出力され、ＰＲ４０が接続されているときは、画像メモリ１４に記憶された画像データが所定のタイミングで出力Ｉ／Ｏ１６及びコネクタ１７ｂを介してＰＲ４０に出力される。また、ＰＣ３０とＰＲ４０の両方が接続されているときは、予め設定された優先順位に従って画像メモリ１４に記憶された画像データが出力Ｉ／Ｏ１６及びコネクタ１７ａ，１７ｂを介してＰＣ３０又はＰＲ４０に出力される。例えばＰＣ３０が優先されていると、画像メモリ１４に記憶された画像データは出力Ｉ／Ｏ１６及びコネクタ１７ａを介してＰＣ３０に出力される。
【００８２】
また、操作部１９からの指示やＰＣ３０からの指示に基いて画像データの出力先を決定するようにしてもよい。
【００８３】
制御部１８は、フィルム画像の読取り及び画像データのＰＣ３０若しくはＰＲ４０への出力の動作を統括制御するものである。制御部１８はマイクロコンピュータからなり、光源３の発光、フィルム５の給送、ＣＣＤ９の撮像動作、ＣＣＤ９からの出力信号に対するアナログプロセス回路１０〜画像メモリ１４の信号処理及び出力Ｉ／Ｏ１６を介しての画像データの出力機器（ＰＣ３０，ＰＲ４０）への出力の一連の処理を制御する。制御部１８は、内部にフィルム判別部１８１を備え、フィルム情報読取部６から入力されるフィルム情報に基づいてフィルム５の種類、特にカラーネガ、カラーポジ、モノクロームネガの判別を行う。この情報は、照明部３の発光色の設定及び画像処理部１３でのネガ／ポジ反転の有無の制御に利用される。
【００８４】
操作部１９は、電源のＯＮ／ＯＦＦ、カートリッジ４のイジェクト、画像データを取り込むコマ番号の指定、フィルム画像をモノクローム画像に変換して出力させるためのモノクロ出力の設定等の各種のフィルム画像読取装置１に関する操作を入力するものである。
【００８５】
なお、本実施の形態では、フィルム５のカラーネガ／カラーポジ／モノクロームネガの種類をフィルム情報に基づいて自動設定し、外部接続される出力機器の種類を出力Ｉ／Ｆ１６の接続状態判別結果に基づいて自動設定するようにしているが、操作部１９からマニュアル設定するようにしてもよい。
【００８６】
次に、フィルム画像読取装置１のフィルム画像の読取り及び読取画像の出力制御について説明する。
【００８７】
表２は、フィルムの陰陽の種類、照明光の色及びネガ／ポジ反転処理の組み合わせによりフィルム画像読取装置１で取り扱われる画像信号と外部接続される出力機器との関係を示したものである。
【００８８】
【表２】
0003552602.tif 000003
【００８９】
同表において、照明色の欄は、Ｒ，Ｇ，Ｂの単色光源を用いて所望の色を発光する場合のもので、例えば「白色（Ｒ＋Ｇ＋Ｂ）」は、Ｒ，Ｇ，Ｂの単色光を全て略同一の強度で発光させて白色光を発生することを示し、例えば「シアン（Ｇ＋Ｒ）」は、ＲとＧの単色光を略同一の強度で発光させてシアンの光を発生することを示している。本実施の形態のように白色光源とＲ，Ｇ，Ｂ，Ｃ，Ｍ，Ｙのカラーフィルタとを組み合わせて所望の色を発光させるようにしてもよい。
【００９０】
「出力１」の欄は、ＣＣＤ９から出力されるフィルム画像の画像信号をネガ／ポジ反転処理を行うことなくそのまま出力した場合の出力信号の種類を示したものであり、「出力２」の欄は、ＣＣＤ９から出力されるフィルム画像の画像信号をネガ／ポジ反転処理を行って出力した場合の出力信号の種類を示したものである。両欄において、例えば「輝度ネガ」は明暗が被写体と逆になっている輝度信号を示し、例えば「Ｒネガ」は明暗が被写体と逆になっているＲ成分の画像信号を、また、「Ｒポジ」は明暗が被写体と同じになっているＲ成分の画像信号を示している。
【００９１】
「出力機器」の欄は、フィルム画像読取装置１から出力される画像信号と出力機器との適合性を示したもので、○印は「適合」、×印は「不適合」を示している。Ｎｏ．２〜Ｎｏ．４，Ｎｏ．１２〜Ｎｏ．１４のケースでは、フィルム画像読取装置１からカラー画像の信号がＲ，Ｇ，Ｂの色成分に分離されたネガ信号で出力される場合、パーソナルコンピュータにもプリンタにも適合せず、出力機器側では使用できない。パーソナルコンピュータのようにカラー画像を加色法の三原色Ｒ，Ｇ，Ｂで取り扱う出力機器では色成分は適合するが、明暗が逆になっているからであり、プリンタのようにカラー画像を減色法の三原色Ｃ，Ｍ，Ｙで取り扱う出力機器では色成分も適合していないからである。また、Ｎｏ．５〜Ｎｏ．７，Ｎｏ．９〜Ｎｏ．１１のケースでは、フィルム画像読取装置１からカラー画像の信号がＣ，Ｍ，Ｙの色成分に分離されたネガ信号で出力される場合、パーソナルコンピュータにもプリンタにも適合せず、出力機器側では使用できない。この場合もプリンタのようにカラー画像を減色法の三原色で取り扱う出力機器では色成分は適合するが、明暗が逆になっているからであり、パーソナルコンピュータのようにカラー画像を加色法の三原色で取り扱う出力機器では色成分も適合していないからである。
【００９２】
また、△印は「条件付きの適合」を示し、具体的には色成分を補色に反転することにより適合することを示している。Ｎｏ．２〜Ｎｏ．４，Ｎｏ．１２〜Ｎｏ．１４のケースの例では、フィルム画像読取装置１からカラー画像の信号がＣ，Ｍ，Ｙの色成分に分離されたポジ信号で出力される場合は、パーソナルコンピュータに対して「条件付き適合」となる。この場合は、パーソナルコンピュータ側で色成分をＣ，Ｍ，Ｙの補色であるＲ，Ｇ，Ｂに反転することにより使用可能となる。また、Ｎｏ．５〜Ｎｏ．７，Ｎｏ．９〜Ｎｏ．１１のケースの例では、フィルム画像読取装置１からカラー画像の信号がＲ，Ｇ，Ｂの色成分に分離されたポジ信号で出力される場合は、プリンタに対して「条件付き適合」となる。この場合は、プリンタ側で色成分をＲ，Ｇ，Ｂの補色であるＣ，Ｍ，Ｙに反転することにより使用可能となる。
【００９３】
また、「白黒」はカラー画像の輝度成分のみが出力された場合（すなわち、カラー画像がモノクローム画像に変換されて出力された場合）、モノクローム画像として取扱可能であることを示している。Ｎｏ．１，８，１５のケースで、フィルム画像読取装置１から輝度ネガ信号で出力される場合は、出力画像の明暗が原画像の明暗と逆になるから、「×（取扱不可）」となっているが、フィルム画像読取装置１から輝度ポジ信号で出力される場合は、出力画像の明暗が原画像の明暗と同一となり、モノクローム画像として取扱可能であるから、「白黒」となっている。
【００９４】
表２から明らかなように、Ｎｏ．１〜Ｎｏ．１５のケースにおいて、○印又は「白黒」が付された内容でフィルム画像の読取処理とその読取画像の画像処理とを行って出力機器に出力させるようにすると、最も適した条件でフィルム画像の読取りから画像信号の出力を行うことができる。なお、△印が付された内容で処理することも可能であるが、その場合は、出力機器側にネガ／ポジ反転の処理機能を有することが条件となる。
【００９５】
そこで、本発明に係るフィルム画像読取装置１では、Ｎｏ．１〜Ｎｏ．１５のケースにおいて、○印又は「白黒」が付された内容でフィルム画像の読取処理とその読取画像の画像処理とを行うようにしている。すなわち、フィルムの種類と外部接続されている出力機器の種類とに応じて、表３に示すＮｏ．１〜Ｎｏ．７の内容でフィルム画像の読取りとその読取画像の信号処理とを行うようにしている。
【００９６】
【表３】
0003552602.tif 000004
【００９７】
なお、同表において、Ｎｏ．３とＮｏ．６はＰＲ４０がＣ，Ｍ，Ｙの色成分でカラー画像を形成するタイプに対応したものであるが、好ましくはＣ，Ｍ，Ｙ，ＢＫ（黒）の色成分でカラー画像を形成するタイプのＰＲ４０にも対応し得るように、カラーネガフィルムに対してはＲ，Ｇ，Ｂ，Ｗｈの４種類の照明光を用いてＲ，Ｇ，Ｂ，Ｋのネガ信号を取込み、Ｃ，Ｍ，Ｙ，Ｋのポジ信号に反転して出力し（Ｎｏ．３′参照）、カラーポジフィルムに対してはＣ，Ｍ，Ｙ，Ｗｈの４種類の照明光を用いてＣ，Ｍ，Ｙ，Ｋのポジ信号を取込み、そのまま反転処理を行なうことなく出力する（Ｎｏ．６′参照）ようにするとよい。また、このようにフィルム画像の読取時に色成分のデータとは別に輝度データを読み取るようにすると、ＪＰＥＧなどの圧縮処理において輝度信号が既に用意されているので、圧縮まで含めた画像処理時間の短縮を図ることができる利点もある。
【００９８】
次に、フィルム画像読取装置１のフィルム画像の読取り及び読取画像の出力制御について、図５〜図１２のフローチャートを用いて具体的に説明する。
【００９９】
同図に示すフローチャートは、フィルム画像読取装置１にＰＣ３０若しくはＰＲ４０のいずれかが外部接続された状態で、フィルム５の各コマに撮影されたフィルム画像を全て読み取って外部接続されたＰＣ３０若しくはＰＲ４０に出力する場合の処理手順で、上記表３のＮｏ．２，３，５，６，７に対応する処理手順である。
【０１００】
なお、同フローチャートには表３のＮｏ．１，Ｎｏ．４に相当する処理は含まれていないが、これらのケースはユーザによってカラー画像が意図的にモノクローム画像に変換されてＰＲ３０若しくはＰＲ４０に出力されるケースで、出力機器の接続状態に関係なく操作部１９からの指示に従って選択される処理であるから、処理手順の複雑さ、煩雑さを回避するため省略したものである。
【０１０１】
Ｎｏ．１に対応する処理は、フィルム５がカラーネガフィルムのとき、操作部１９からカラー画像をモノクローム画像に変換して出力する指示がなされているか否かを判別し、その指示がされている場合、後述するＮｏ．７に対応する処理（ステップ＃５１〜＃６７）と同一の手順で行われる。また、Ｎｏ．４に対応する処理は、フィルム５がカラーポジフィルムのとき、操作部１９からカラー画像をモノクローム画像に変換して出力する指示がなされているか否かを判別し、その指示がされている場合、ステップ＃５３でネガ／ポジ反転を「無し」とし、ステップ＃５９の画像データの信号処理でネガ／ポジ反転をしないようにする点を除いて、Ｎｏ．７に対応する処理（ステップ＃５１〜＃６７）と同一の手順で行われる。
【０１０２】
また、このフローチャートでは、全コマのフィルム画像を自動的に読み取って出力機器に出力するようにしているが、操作部１９から入力される特定のコマについてのみフィルム画像を読み取るようにしてもよい。
【０１０３】
電源をオンにしてフィルム画像読取装置１を起動すると（＃１）、まず、コネクタ１７ａ，１７ｂの接続状態が検出され（＃３）、フィルムカートリッジ４が装填されると、フィルム５のイニシャルローディングが行われ、このとき、フィルム情報読取装置６によりフィルム情報が読み取られる（＃５）。続いて、コネクタ１７ａ，１７ｂの接続状態からＰＣ３０又はＰＲ４０のいずれが接続されているかが判別され（＃７）、ＰＣ３０が接続されていると（＃７でＹＥＳ）、更にフィルム情報からフィルム５の種類が判別される（＃９，＃４９）。
【０１０４】
フィルム５がカラーネガフィルムであると（＃９でＹＥＳ）、ステップ＃１１に移行し、表３のＮｏ．２の処理が行われる（＃１１〜＃４７）。すなわち、照明部３の発光色が減色法の三原色であるＣ，Ｍ，Ｙに設定され（＃１１）、画像処理部１３におけるネガ／ポジ反転処理と圧縮処理とが「有り」に設定される（＃１３）。続いて、先頭コマを所定の撮像位置に設定するべくフィルム５が給送され（＃１５）、このフィルム給送の間にフィルタ部材３０２のカラーフィルタをＣ，Ｍ，Ｙの順に順次、切り換えてフィルム５の引き出し部分（オレンジベースの部分）がＣＣＤ９でそれぞれ撮像され、これらの撮像画像を用いて画像処理部１３におけるＷＢ調整用のデータ（各色成分の画像データのレベルを調整するためのゲインデータ）が算出される（＃１７）。
【０１０５】
なお、本実施の形態では画像処理部１３でＷＢ調整するようにしているので、ＷＢ調整データとしてゲインデータを算出するようにしているが、各色成分毎に画像信号を取り込む際のＣＣＤ９の露光時間を調整することによりＷＢ調整された画像信号を取り込むことも可能で、この方法を採用した場合は、ＷＢ調整データとしてホワイトバランスで適正となる各色成分毎の露光時間が算出される。また、露光時間と画像データのレベル補正の両方を組み合わせてＷＢ調整を行うようにしてもよい。
【０１０６】
先頭コマが所定の撮像位置に設定されると、フィルタ部材３０２がシアンのカラーフィルタ３０２ｅに切換設定され、先頭コマが照明部３からのシアン色の光で照明される。そして、この照明により形成されるシアンの色成分の光像がＣＣＤ９で画像信号に光電変換されて取り込まれる（図６，＃１９）。
【０１０７】
ＣＣＤ９で取り込まれた画像信号（シアンの色成分のネガ画像信号）は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でＷＢ調整等の所定のデジタル信号処理が行われる。このデジタル信号処理ではネガ／ポジ反転処理と画像圧縮処理も行われ、シアンの色成分のネガ画像データは、ＷＢ調整後にシアンの補色である赤の色成分に変換されるとともに、ポジ画像データに変換され、更にγ補正後に予め設定された所定の圧縮率で圧縮される（＃２１）。
【０１０８】
従って、Ｃのネガ画像データは、画像処理部１３でＲのポジ画像データ（以下、Ｒポジデータという。）に反転されるとともに、圧縮されて画像メモリ１４に一旦、記憶され（＃２３）、出力Ｉ／Ｏ１６により所定のタイミングで画像メモリ１４から読み出されてＰＣ３０に出力される（＃２５）。
【０１０９】
続いて、フィルタ部材３０２がマゼンタのカラーフィルタ３０２ｆに切り換えられ、先頭コマが照明部３からのマゼンタ色の光で照明される。そして、この照明により形成されるマゼンタの色成分の光像がＣＣＤ９で画像信号に光電変換されて取り込まれる（＃２７）。
【０１１０】
ＣＣＤ９で取り込まれた画像信号（マゼンタの色成分のネガ画像信号）についても上述したシアンの色成分のネガ画像信号と同様の所定のアナログ信号処理とデジタル信号処理とが行われ、このデジタル信号処理でマゼンタの補色である緑の色成分の画像データ（以下、Ｇポジデータという。）に反転されるとともに、圧縮されて画像メモリ１４に一旦、記憶される（＃２９，＃３１）。そして、Ｇポジデータは出力Ｉ／Ｏ１６により所定のタイミングで画像メモリ１４から読み出されてＰＣ３０に出力される（＃３３）。
【０１１１】
続いて、フィルタ部材３０２がイエローのカラーフィルタ３０２ｇに切り換えられ、先頭コマが照明部３からのイエロー色の光で照明される。そして、この照明により形成されるイエローの色成分の光像がＣＣＤ９で画像信号に光電変換されて取り込まれる（＃３５）。
【０１１２】
ＣＣＤ９で取り込まれた画像信号（イエローの色成分のネガ画像信号）についても上述したシアンの色成分のネガ画像信号と同様の所定のアナログ信号処理とデジタル信号処理とが行われ、このデジタル信号処理でイエローの補色である青の色成分の画像データ（以下、Ｂポジデータという。）に反転されるとともに、圧縮されて画像メモリ１４に一旦、記憶される（＃３７，＃３９）。そして、Ｂポジデータは出力Ｉ／Ｏ１６により所定のタイミングで画像メモリ１４から読み出されてＰＣ３０に出力される（＃４１）。
【０１１３】
続いて、最終コマのフィルム画像の読取りが終了したか否かが判別され（＃４３）、終了していなければ（＃４３でＮＯ）、次のコマを所定の撮像位置に設定するべくフィルム５が給送され（＃４５）、次のコマが所定の撮像位置に設定されると、ステップ＃１９に戻り、上述した手順と同様の手順で次のコマのフィルム画像がＣ，Ｍ，Ｙの色成分に分離して順次、読み取られ、Ｒ，Ｇ，Ｂのポジデータに変換されてＰＣ３０に出力される（＃１９〜＃４１）。
【０１１４】
そして、以下同様に各コマのフィルム画像が読み取られ（＃１９〜＃４５のループ）、全てのコマのフィルム画像の読取りが終了すると（＃４３でＹＥＳ）、フィルム５がフィルムカートリッジ４内に巻き戻され、イジェクト可能にして処理を終了する（＃４７）。なお、全コマの読取終了は、フィルム画像の読取枚数をカウントし、このカウント値とフィルムカートリッジ４から読み取られたフィルム情報に含まれるフィルム撮影枚数とを比較することにより判別される。
【０１１５】
本実施の形態では、Ｒ，Ｇ，Ｂの各ポジデータを順次、ＰＣ３０に出力するようにしているが、これは画像メモリ１４の記憶容量をできる限り低減し、装置の低廉化を図ることを考慮したもので、全ての色のポジデータを得た後、一括してポジデータをＰＣ３０に転送するようにしてもよい。
【０１１６】
フィルム５がモノクロームネガフィルムであると（図７，＃４９でＹＥＳ）、ステップ＃５１に移行し、表３のＮｏ．７の処理が行われる（＃５１〜＃６７）。すなわち、照明部３の発光色が白色に設定され（＃５１）、画像処理部１３におけるネガ／ポジ反転処理と圧縮処理とが「有り」に設定される（＃５３）。続いて、フィルム５を給送して先頭コマが所定の撮像位置に設定され（＃５５）、フィルタ部材３０２が透明板３０２ａに切換設定されて先頭コマが照明部３からの白色光で照明される。
【０１１７】
そして、この照明により形成される光像がＣＣＤ９で画像信号に光電変換されて取り込まれ（＃５７）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正、ネガ／ポジ反転処理、画像圧縮等の所定のデジタル信号処理が行われる。このデジタル信号処理では、画像データが輝度データのみであるからＷＢ調整は行われないが、ネガ／ポジ反転処理は行われ、輝度成分のポジ画像データに変換される（＃５９）。従って、輝度成分のネガ画像データは、画像処理部１３でポジ画像データ（以下、輝度ポジデータという。）に反転され、更にγ補正後に所定の圧縮率で圧縮されて画像メモリ１４に一旦、記憶され（＃６１）、出力Ｉ／Ｏ１６により所定のタイミングで画像メモリ１４から読み出されてＰＣ３０に出力される（＃６３）。
【０１１８】
続いて、最終コマのフィルム画像の読取りが終了したか否かが判別され（＃６５）、終了していなければ（＃６５でＮＯ）、次のコマのフィルム画像を読み取るべくステップ＃５５に戻り、フィルム５を給送して次のコマが所定の撮像位置に設定される（＃５５）、次のコマが所定の撮像位置に設定されると、上述した手順と同様の手順で次のコマのフィルム画像が読み取られ、輝度ポジデータに変換されるとともに、圧縮されてＰＣ３０に出力される（＃５７〜＃６３）。
【０１１９】
そして、以下同様に各コマのフィルム画像が読み取られ（＃５５〜＃６５のループ）、全てのコマのフィルム画像の読取りが終了すると（＃６５でＹＥＳ）、フィルム５がフィルムカートリッジ４内に巻き戻され、イジェクト可能にして処理を終了する（＃６７）。
【０１２０】
フィルム５がカラーポジフィルムであると（＃４９でＮＯ）、ステップ＃６９（図８）に移行し、表３のＮｏ．５の処理が行われる（＃６９〜＃９７）。すなわち、照明部３の発光色が加色法の三原色であるＲ，Ｇ，Ｂに設定され（＃６９）、画像処理部１３におけるネガ／ポジ反転処理が「無し」に、圧縮処理が「有り」にそれぞれ設定される（＃７１）。続いて、先頭コマを所定の撮像位置に設定するべくフィルム５が給送される（＃７３）。
【０１２１】
先頭コマが所定の撮像位置に設定されると、フィルタ部材３０２が赤のカラーフィルタ３０２ｂに切換設定され、先頭コマが照明部３からの赤色の光で照明される。そして、この照明により形成される赤の色成分の光像がＣＣＤ９で画像信号に光電変換されて取り込まれる（＃７５）。
【０１２２】
ＣＣＤ９で取り込まれた画像信号（赤の色成分のポジ画像信号）は、アナログプロセス回路１０に読み出され、ノイズ低減やレベル調整等の所定のアナログ信号処理が行われた後、Ａ／Ｄ変換回路１１でデジタルの画像データ（Ｒポジデータ）に変換されて画像処理部１３に入力され、更にこの画像処理部１３でＷＢ調整等の所定のデジタル信号処理が行われる。このデジタル信号処理ではネガ／ポジ反転処理は行わず、ＲポジデータはＷＢ調整後にγ補正され、更に所定の圧縮率で圧縮されて画像メモリ１４に一旦、記憶される（＃７７，＃７９）。そして、出力Ｉ／Ｏ１６により所定のタイミングで画像メモリ１４から読み出されてＰＣ３０に出力される（＃８１）。
【０１２３】
続いて、フィルタ部材３０２が緑のカラーフィルタ３０２ｃに切り換えられ、先頭コマが照明部３からの緑色の光で照明される。そして、この照明により形成される緑の色成分の光像がＣＣＤ９で画像信号に光電変換されて取り込まれる（＃８３）。
【０１２４】
ＣＣＤ９で取り込まれた画像信号（緑の色成分のポジ画像信号）についても上述した赤の色成分のポジ画像信号と同様の所定のアナログ信号処理とデジタル信号処理とが行われ、Ｇポジデータはネガ／ポジ反転が行われることなく所定の圧縮率で圧縮されて画像メモリ１４に一旦、記憶される（＃８４，＃８５）。そして、Ｇポジデータは出力Ｉ／Ｏ１６により所定のタイミングで画像メモリ１４から読み出されてＰＣ３０に出力される（＃８７）。
【０１２５】
続いて、フィルタ部材３０２が青のカラーフィルタ３０２ｄに切り換えられ、先頭コマが照明部３からの青色の光で照明される。そして、この照明により形成される青の色成分の光像がＣＣＤ９で画像信号に光電変換されて取り込まれる（＃８９）。
【０１２６】
ＣＣＤ９で取り込まれた画像信号（青の色成分のポジ画像信号）についても上述した赤の色成分のポジ画像信号と同様の所定のアナログ信号処理とデジタル信号処理とが行われ、Ｂポジデータはネガ／ポジ反転が行われることなく所定の圧縮率で圧縮されて画像メモリ１４に一旦、記憶される（＃９０，＃９１）。そして、Ｂポジデータは出力Ｉ／Ｏ１６により所定のタイミングで画像メモリ１４から読み出されてＰＣ３０に出力される（＃９３）。
【０１２７】
続いて、最終コマのフィルム画像の読取りが終了したか否かが判別され（＃９５）、終了していなければ（＃９５でＮＯ）、ステップ＃７３に戻り、次のコマを所定の撮像位置に設定するべくフィルム５が給送され、次のコマが所定の撮像位置に設定されると、上述した手順と同様の手順で次のコマのフィルム画像がＲ，Ｇ，Ｂの色成分に分離して順次、読み取られ、ネガ／ポジ反転されることなく所定の圧縮率で圧縮されてＰＣ３０に出力される（＃７３〜＃９３）。
【０１２８】
そして、以下同様に各コマのフィルム画像が読み取られ（＃７３〜＃９５のループ）、全てのコマのフィルム画像の読取りが終了すると（＃９５でＹＥＳ）、フィルム５がフィルムカートリッジ４内に巻き戻され、イジェクト可能にして処理を終了する（＃９７）。
【０１２９】
ステップ＃７でＰＲ４０が接続されている判別されると（＃７でＮＯ）、ステップ＃１０１（図９）に移行し、上述のＰＣ３０が外部接続されている場合のフィルム画像読取及び読取画像の出力の手順と同様の手順でフィルム画像の読取り及び読取画像の出力処理が行われる（＃１０１〜＃１８７）。ステップ１０３〜＃１３９はフィルム５がカラーネガフィルムの場合の処理で、表３のＮｏ．３の処理であり、ステップ１４３〜＃１５９はフィルム５がモノクロームネガフィルムの場合の処理で、表３のＮｏ．７の処理であり、ステップ１６１〜＃１８７はフィルム５がカラーポジフィルムの場合の処理で、表３のＮｏ．６の処理である。
【０１３０】
ステップ＃１０１に移行すると、フィルム情報からフィルム５の種類が判別され（＃１０１，＃１４１）、フィルム５がカラーネガフィルムであると（＃１０１でＹＥＳ）、ステップ＃１０３に移行し、表３のＮｏ．３の処理が行われる（＃１０３〜＃１３９）。
【０１３１】
すなわち、照明部３の発光色がＲ，Ｇ，Ｂに設定され（＃１０３）、画像処理部１３におけるネガ／ポジ反転処理が「有り」に、圧縮処理が「無し」にそれぞれ設定される（＃１０５）。続いて、先頭コマを所定の撮像位置に設定するべくフィルム５が給送され（＃１０７）、このフィルム給送の間にフィルタ部材３０２のカラーフィルタをＲ，Ｇ，Ｂの順に順次、切り換えてフィルム５の引き出し部分（オレンジベースの部分）がＣＣＤ９でそれぞれ撮像され、これらの撮像画像を用いて画像処理部１３におけるＷＢ調整用のデータが算出される（＃１０９）。
【０１３２】
先頭コマが所定の撮像位置に設定されると、フィルタ部材３０２が赤のカラーフィルタ３０２ｂに切換設定され、先頭コマが照明部３からの赤色の光で照明される。そして、この照明により形成される赤の色成分の光像がＣＣＤ９で画像信号に光電変換されて取り込まれる（＃１１１）。
【０１３３】
ＣＣＤ９で取り込まれた画像信号（赤の色成分のネガ画像信号）は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でＷＢ調整等の所定のデジタル信号処理が行われる。このデジタル信号処理ではネガ／ポジ反転処理は行われるが圧縮処理は行われず、赤の色成分のネガ画像データは、ＷＢ調整後に赤の補色であるシアンの色成分に変換されるとともに、ポジ画像データに変換され、更にγ補正される（＃１１３）。従って、Ｒ成分のネガ画像データは、画像処理部１３でＣポジデータに反転されて圧縮されることなく画像メモリ１４に一旦、記憶され（＃１１５）、出力Ｉ／Ｏ１６により所定のタイミングで画像メモリ１４から読み出されてＰＲ４０に出力される（＃１１７）。
【０１３４】
続いて、フィルタ部材３０２が緑のカラーフィルタ３０２ｃに切り換えられ、先頭コマが照明部３からの緑色の光で照明される。そして、この照明により形成される緑の色成分の光像がＣＣＤ９で画像信号に光電変換されて取り込まれる（図１０，＃１１９）。
【０１３５】
ＣＣＤ９で取り込まれた画像信号（緑の色成分のネガ画像信号）についても上述した赤の色成分のネガ画像信号と同様の所定のアナログ信号処理とデジタル信号処理とが行われ、このデジタル信号処理で緑の補色であるマゼンタの色成分の画像データ（Ｍポジデータ）に反転されて圧縮されることなく画像メモリ１４に一旦、記憶される（＃１２１，＃１２３）。そして、Ｍポジデータは出力Ｉ／Ｏ１６により所定のタイミングで画像メモリ１４から読み出されてＰＲ４０に出力される（＃１２５）。
【０１３６】
続いて、フィルタ部材３０２が青のカラーフィルタ３０２ｄに切り換えられ、先頭コマが照明部３からの青色の光で照明される。そして、この照明により形成される青の色成分の光像がＣＣＤ９で画像信号に光電変換されて取り込まれる（＃１２７）。
【０１３７】
ＣＣＤ９で取り込まれた画像信号（青の色成分のネガ画像信号）についても上述した赤の色成分のネガ画像信号と同様の所定のアナログ信号処理とデジタル信号処理とが行われ、このデジタル信号処理で青の補色であるイエローの色成分の画像データ（Ｙポジデータ）に反転されて圧縮されることなく画像メモリ１４に一旦、記憶される（＃１２９，＃１３１）。そして、Ｙポジデータは出力Ｉ／Ｏ１６により所定のタイミングで画像メモリ１４から読み出されてＰＲ４０に出力される（＃１３３）。
【０１３８】
続いて、最終コマのフィルム画像の読取りが終了したか否かが判別され（＃１３５）、終了していなければ（＃１３５でＮＯ）、次のコマを所定の撮像位置に設定するべくフィルム５が給送され（＃１３７）、次のコマが所定の撮像位置に設定されると、ステップ＃１１１に戻り、上述した手順と同様の手順で次のコマのフィルム画像がＲ，Ｇ，Ｂの色成分に分離して順次、読み取られ、Ｃ，Ｍ，Ｙのポジ画像データに変換されて圧縮されることなくＰＲ４０に出力される（＃１１１〜＃１３３）。
【０１３９】
そして、以下同様に各コマのフィルム画像が読み取られ（＃１１１〜＃１３５のループ）、全てのコマのフィルム画像の読取りが終了すると（＃１３５でＹＥＳ）、フィルム５がフィルムカートリッジ４内に巻き戻され、イジェクト可能にして処理を終了する（＃１３９）。
【０１４０】
フィルム５がモノクロームネガフィルムであると（図１１，＃１４１でＹＥＳ）、ステップ＃１４３に移行し、表３のＮｏ．７の処理が行われる（＃１４３〜＃１５９）。すなわち、照明部３の発光色が白色に設定され（＃１４３）、画像処理部１３におけるネガ／ポジ反転処理が「有り」に、圧縮処理が「無し」にそれぞれ設定される（＃１４５）。続いて、フィルム５を給送して先頭コマが所定の撮像位置に設定され（＃１４７）、フィルタ部材３０２が透明板３０２ａに切換設定されて先頭コマが照明部３からの白色光で照明される。
【０１４１】
そして、この照明により形成される光像がＣＣＤ９で画像信号に光電変換されて取り込まれ（＃１４９）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正、ネガ／ポジ反転処理等の所定のデジタル信号処理が行われる。このデジタル信号処理では、圧縮処理は行なわれない。また、画像データが輝度データのみであるからＷＢ調整も行われないが、ネガ／ポジ反転処理は行われ、輝度成分のポジ画像データに変換される（＃１５１）。従って、輝度成分のネガ画像データは、画像処理部１３でポジ画像データ（以下、輝度ポジデータという。）に反転され、更にγ補正されて画像メモリ１４に一旦、記憶され（＃１５３）、出力Ｉ／Ｏ１６により所定のタイミングで画像メモリ１４から読み出されてＰＣ３０に出力される（＃１５５）。
【０１４２】
続いて、最終コマのフィルム画像の読取りが終了したか否かが判別され（＃１５７）、終了していなければ（＃１５７でＮＯ）、次のコマのフィルム画像を読み取るべくステップ＃１４７に戻り、フィルム５を給送して次のコマが所定の撮像位置に設定される（＃１４７）。次のコマが所定の撮像位置に設定されると、上述した手順と同様の手順で次のコマのフィルム画像が読み取られ、輝度ポジデータに変換されてＰＲ４０に出力される（＃１４９〜＃１５５）。
【０１４３】
そして、以下同様に各コマのフィルム画像が読み取られ（＃１４７〜＃１５７のループ）、全てのコマのフィルム画像の読取りが終了すると（＃１５７でＹＥＳ）、フィルム５がフィルムカートリッジ４内に巻き戻され、イジェクト可能にして処理を終了する（＃１５９）。
【０１４４】
フィルム５がカラーポジフィルムであると（＃１４１でＮＯ）、ステップ＃１６１（図１２）に移行し、表３のＮｏ．６の処理が行われる（＃１６１〜＃１８７）。
【０１４５】
すなわち、照明部３の発光色が減色法の三原色であるＣ，Ｍ，Ｙに設定され（＃１６１）、画像処理部１３におけるネガ／ポジ反転処理と圧縮処理とが「無し」に設定される（＃１６３）。続いて、先頭コマを所定の撮像位置に設定するべくフィルム５が給送される（＃１６５）。
【０１４６】
先頭コマが所定の撮像位置に設定されると、フィルタ部材３０２がシアンのカラーフィルタ３０２ｅに切換設定され、先頭コマが照明部３からのシアン色の光で照明される。そして、この照明により形成されるシアンの色成分の光像がＣＣＤ９で画像信号に光電変換されて取り込まれる（＃１６７）。
【０１４７】
ＣＣＤ９で取り込まれた画像信号（シアンの色成分のポジ画像信号）は、アナログプロセス回路１０に読み出され、ノイズ低減やレベル調整等の所定のアナログ信号処理が行われた後、Ａ／Ｄ変換回路１１でデジタルの画像データ（Ｃポジデータ）に変換されて画像処理部１３に入力され、更にこの画像処理部１３でＷＢ調整、γ補正等の所定のデジタル信号処理が行われる。このデジタル信号処理ではネガ／ポジ反転処理も圧縮処理も行われず、ＣポジデータはＷＢ調整及びγ補正が行なわれて画像メモリ１４に一旦、記憶され（＃１６９）、出力Ｉ／Ｏ１６により所定のタイミングで画像メモリ１４から読み出されてＰＲ４０に出力される（＃１７１）。
【０１４８】
続いて、フィルタ部材３０２がマゼンタのカラーフィルタ３０２ｆに切り換えられ、先頭コマが照明部３からのマゼンタ色の光で照明される。そして、この照明により形成されるマゼンタの色成分の光像がＣＣＤ９で画像信号に光電変換されて取り込まれる（＃１７３）。
【０１４９】
ＣＣＤ９で取り込まれた画像信号（マゼンタの色成分のポジ画像信号）についても上述したシアンの色成分のポジ画像信号と同様の所定のアナログ信号処理とデジタル信号処理とが行われ、Ｍポジデータはネガ／ポジ反転及び画像圧縮が行われることなく画像メモリ１４に一旦、記憶される（＃１７５）。そして、Ｍポジデータは出力Ｉ／Ｏ１６により所定のタイミングで画像メモリ１４から読み出されてＰＲ４０に出力される（＃１７７）。
【０１５０】
続いて、フィルタ部材３０２がイエローのカラーフィルタ３０２ｇに切り換えられ、先頭コマが照明部３からのイエロー色の光で照明される。そして、この照明により形成されるイエローの色成分の光像がＣＣＤ９で画像信号に光電変換されて取り込まれる（＃１７９）。
【０１５１】
ＣＣＤ９で取り込まれた画像信号（イエローの色成分のポジ画像信号）についても上述した赤の色成分のポジ画像信号と同様の所定のアナログ信号処理とデジタル信号処理とが行われ、Ｙポジデータはネガ／ポジ反転及び画像圧縮が行われることなく画像メモリ１４に一旦、記憶される（＃１８１）。そして、Ｙポジデータは出力Ｉ／Ｏ１６により所定のタイミングで画像メモリ１４から読み出されてＰＲ４０に出力される（＃１８３）。
【０１５２】
続いて、最終コマのフィルム画像の読取りが終了したか否かが判別され（＃１８５）、終了していなければ（＃１８５でＮＯ）、ステップ＃１６５に戻り、次のコマを所定の撮像位置に設定するべくフィルム５が給送され、次のコマが所定の撮像位置に設定されると、上述した手順と同様の手順で次のコマのフィルム画像がＣ，Ｍ，Ｙの色成分に分離して順次、読み取られ、ネガ／ポジ反転及び画像圧縮が行われることなくＰＲ４０に出力される（＃１６５〜＃１８３）。
【０１５３】
そして、以下同様に各コマのフィルム画像が読み取られ（＃１６５〜＃１８５のループ）、全てのコマのフィルム画像の読取りが終了すると（＃１８５でＹＥＳ）、フィルム５がフィルムカートリッジ４内に巻き戻され、イジェクト可能にして処理を終了する（＃１８７）。
【０１５４】
なお、上述の処理手順では、照明光の色をＲ→Ｇ→Ｂの順、Ｃ→Ｍ→Ｙの順に切り換えて順次、各色成分の画像データを取り込んでいたが、この照明光の色の切換順は任意であり、本実施形態の順番に限定されるものではない。
【０１５５】
上記のように、第１の実施形態に係るフィルム画像読取装置１においては、加色法の三原色であるＲ，Ｇ，Ｂ及び減色法の三原色であるＣ，Ｍ，Ｙの合計６色の色を発光することのできる照明部３と輝度及び色彩を反転するネガ／ポジ反転機能とを設け、フィルムの種類（カラーネガ／カラーポジ／モノクローム）に応じた適正な色で照明してフィルム画像を読み取るとともに、その読取画像を出力機器の取扱可能な、若しくは取扱容易な適切な色成分の画像データに変換して出力するようにしているので、高画質の画像を読み取ることができるとともに、出力機器での画像データの取扱いが容易となり、画質劣化の少ない画像を出力することができる。
【０１５６】
また、画像圧縮機能を設け、画像データがＰＣ３０に出力されるときは、画像データの圧縮を行い、ＰＣ４０に出力されるときは、画像データの圧縮を行なわないようにしたので、ＰＣ３０への画像データの転送を迅速に行なうことができるとともに、フィルム画像の読取りからＰＲ４０でのプリント処理までの処理も効率よく行なうことができる。
【０１５７】
図１３は、フィルム画像読取装置の第２の実施形態のブロック構成図である。
【０１５８】
第２の実施形態に係るフィルム画像装置１′は、いわゆる画素ずらし法によりフィルム画像の高精細化を可能にしたものである。
【０１５９】
図１３は、ＣＣＤ９の撮像面に対する被写体光像の結像位置を光学的にずらすようにしたもので、図１において、撮影レンズ８とＣＣＤ９との間に撮像面における被写体光像の結像位置をずらせるための光学系２０を設けるとともに、この光学系を駆動する駆動部２１を設けたものである。
【０１６０】
画素ずらし光学系２０は、図１４に示すように一方面２０ａが他方面２０ｂに対して僅かに傾斜するように構成され、入射光と出射光の光軸の平行性は保持されるが、入射点と出射点とが異なる板状の光学系である。画素ずらし光学系２０は光軸を中心に回転可能に設けられ、駆動部２１により第１の位置（図１４の（ａ）の状態）と第２の位置（図１４の（ｂ）の状態）とに切換設定されるようになっている。
【０１６１】
図１５は、画素ずらし光学系２０を第１の位置と第２の位置とに切換設定した場合の被写体光像（「ａ」の文字で示す。）の撮像面における結像位置の変位の一例を示すものである。なお、同図は、説明の便宜上、画素ずらし光学系２０の切換により撮像面Ｓが被写体光像に対して相対的に変位した内容で描いている。
【０１６２】
同図において、細線で示す撮像面Ｓは、例えば画素ずらし光学系２０を第１の位置に設定した場合の相対位置を示し、太線で示す撮像面Ｓは、画素ずらし光学系２０を第２の位置に設定した場合の相対位置を示している。すなわち、第１の位置を画素ずらし光学系２０の初期位置とすると、初期位置では被写体光像「ａ」は撮像面Ｓの略中央に投影され、画素ずらし光学系２０を第２の位置に切り換えると、撮像面Ｓにおける被写体光像「ａ」の投影位置は、斜め右下に変位される。このときの変位量はＣＣＤ９の正方画素ｇの配列ピッチをｐとすると、斜め下方向に０．７０７ｐとなっている。
【０１６３】
従って、画素ずらし光学系２０を第１の位置と第２の位置とに切り換えて同一の被写体をそれぞれ撮像すると、被写体に対してＣＣＤ９を上下左右にｐ／２だけずらせて撮影した２枚の撮像画像が得られ、これらの撮像画像の画像データを用いて所定の画素データの補間と合成処理とを行なうことにより通常の撮像によって得られる撮像画像よりも４倍の画素密度の高精細画像を得ることができる。画素ずらし法によって得られた画像データを用いて高精細画像を生成する画素データの補間及び画像合成の方法は、例えば特開平１０−２５７５０７号公報に示されているように種々提案されており、その公知の方法を適用することができる。
【０１６４】
本実施の形態に係るフィルム画像読取装置１′では、色成分毎に画像データを読み取ると、直ちにその画像データをＰＣ３０若しくはＰＲ４０に出力するようにしているので、フィルム画像の高精細化処理はＰＣ３０若しくはＰＲ４０側で行われる。従って、ここでは高精細画像を生成する画素データの補間及び画像合成の方法の詳細説明は省略する。
【０１６５】
なお、本実施の形態では、画素ずらし光学系２０を用いて光学的に被写体の撮像面における結像位置を変位させているが、ＣＣＤ９を変位可能に配設し、例えば圧電アクチュエータ等の駆動部材で当該ＣＣＤ９を所定の方向に微小変位させて被写体の撮像面における結像位置を変位させるようにしてもよい。
【０１６６】
次に、第２の実施形態に係るフィルム画像読取装置１′のフィルム画像の読取り及び読取画像の出力制御について、説明する。
【０１６７】
モノクローム画像の場合（表３のＮｏ．７参照）やカラー画像をモノクローム画像として取り込む場合、画素ずらし法により被写体光像に対するＣＣＤ９の撮像位置をずらして２回撮像し、各撮像画像から２種類の輝度信号を得ることによりこれらの輝度信号を用いて高精細のモノクローム画像を得ることができる。
【０１６８】
カラー画像の場合、全ての色成分について画素ずらし法により画素密度を高めるようにしてもよいが、このようにすると、１枚のフィルム画像を読み取るのに６回の撮像動作を繰り返す必要があり（ＣＭＹＫ対応のＰＲ４０にに対しては８回の撮像動作が必要）、画像読取動作に長時間を要する。
【０１６９】
その一方、視覚的には刺激値の大きい色成分について高精細化を図るだけでも効果的な高画質が得られるので、本実施の形態では輝度データに相当する色成分（ＲＧＢではＧの色、ＣＭＹではＭの色）についてのみ画素ずらし法を適用し、１枚のフィルム画像の画像読取を４回の撮像動作で行なうようにしている。
【０１７０】
図１６〜図１９に示すフローチャートは、カラーフィルムに記録されたフィルム画像を読み込んで、画像信号をＰＣ３０に出力する処理において、画素ずらし法を適用した処理手順を示すものである。
【０１７１】
図１６〜図１９の各フローチャートに示す処理手順は、図５〜図８のフローチャートのステップ＃１１〜＃４７、ステップ＃５１〜＃６７、ステップ＃６９〜＃９７にそれぞれ対応し、基本的な処理手順は略同じである。従って、以下の説明では各フローチャートについて、図５〜図８のフローチャートの対応するステップの処理との相違点と画素ずらし法に関する部分について説明する。
【０１７２】
（１）カラーネガのフィルム画像を読取り、画像信号をＰＣ３０に出力する場合の処理（図１６，図１７のフローチャート）。
【０１７３】
図１６，図１７に示すフローチャートの処理手順は、ステップ＃１１〜＃４７の処理手順に対して、照明色の切換順をＣ→Ｍ→ＹからＣ→Ｙ→Ｍに変更し、最後の照明色Ｍに対して画素ずらし光学系２０の位置を切り換えて２回、フィルム画像を取り込むようにしたものである。従って、ステップ＃２０１〜＃２２３の処理内容は実質的にステップ＃１１〜＃３３の処理内容と同一であるから、ここでは、図１７のステップ＃２２５以降の処理について説明する。
【０１７４】
照明色Ｃ，Ｙについてフィルム画像の読取り及び画像信号の出力処理が終了すると、続いて、フィルタ部材３０２がマゼンタのカラーフィルタ３０２ｆに切り換えられ、先頭コマが照明部３からのマゼンタ色の光で照明される。そして、この照明により形成されるマゼンタの色成分の光像がＣＣＤ９で画像信号に光電変換されて取り込まれる（＃２２５）。
【０１７５】
ＣＣＤ９で取り込まれた画像信号（Ｍの色成分のネガ画像信号）は上述したＣの色成分のネガ画像信号と同様の所定のアナログ信号処理とデジタル信号処理とが行われ、このデジタル信号処理でＧの色成分の画像データに反転されるとともに、圧縮されて画像メモリ１４に一旦、記憶される（＃２２７，＃２２９）。このＧの色成分の画像データ（以下、Ｇ１ポジデータという。）は、画素ずらし法により高精細化するための第１の輝度データに相当し、出力Ｉ／Ｏ１６により所定のタイミングで画像メモリ１４から読み出されてＰＣ３０に出力される（＃２３１）。
【０１７６】
続いて、画素ずらし光学系２０が第１の位置から第２の位置に切り換えられ（＃２３３）、再度、先頭コマがマゼンタ色の光で照明された状態でＣＣＤ９により読み取られる（＃２３５）。この画像信号も上述と同様に所定のアナログ信号処理とデジタル信号処理とが行われてＧの色成分の画像データ（以下、Ｇ２ポジデータという。）に反転されるとともに、圧縮されて画像メモリ１４に一旦、記憶される（＃２３７，＃２３９）。このＧ２ポジデータは、画素ずらし法により高精細化するための第２の輝度データに相当し、出力Ｉ／Ｏ１６により所定のタイミングで画像メモリ１４から読み出されてＰＣ３０に出力される（＃２４１）。
【０１７７】
続いて、最終コマのフィルム画像の読取りが終了したか否かが判別され（＃２４３）、終了していなければ（＃２４３でＮＯ）、次のコマを所定の撮像位置に設定するべくフィルム５が給送され（＃２４５）、次のコマが所定の撮像位置に設定されると、ステップ＃２０９に戻り、上述した手順と同様の手順で次のコマのフィルム画像がＣ，Ｙ，Ｍの色成分に分離して順次、読み取られるとともに、Ｍの色成分については画素ずらし光学系２０を切り換えて２回読み取られ、それぞれＲ，Ｂ，Ｇ１，Ｇ２のポジデータに変換されてＰＣ３０に出力される（＃２０９〜＃２４１）。
【０１７８】
そして、以下同様に各コマのフィルム画像が読み取られ（＃２０９〜＃２４５のループ）、全てのコマのフィルム画像の読取りが終了すると（＃２４３でＹＥＳ）、フィルム５がフィルムカートリッジ４内に巻き戻され、イジェクト可能にして処理を終了する（＃２４７）。
【０１７９】
（２）モノクロームネガのフィルム画像を読取り、画像信号をＰＣ３０に出力する場合の処理（図１８のフローチャート）。
【０１８０】
フィルム５がモノクロームフィルムであると、照明部３の発光色が白色に設定され（＃２５１）、画像処理部１３におけるネガ／ポジ反転処理及び圧縮処理が「有り」に設定される（＃２５３）。続いて、フィルム５を給送して先頭コマが所定の撮像位置に設定され（＃２５５）、フィルタ部材３０２が透明板３０２ａに切換設定されて先頭コマが照明部３からの白色の光で照明される。
【０１８１】
そして、この照明により形成される光像がＣＣＤ９で画像信号に光電変換されて取り込まれ（＃２５７）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正、ネガ／ポジ反転処理、画像圧縮等の所定のデジタル信号処理が行われる。このデジタル信号処理では、ＷＢ調整は行われず、ネガ／ポジ反転処理により輝度ポジデータに反転され、更にγ補正後に所定の圧縮率で圧縮されて画像メモリ１４に一旦、記憶される（＃２５９，＃２６１）。この輝度ポジデータは、画素ずらし法により高精細化するための第１の輝度データ（以下、第１輝度ポジデータという。）に相当し、出力Ｉ／Ｏ１６により所定のタイミングで画像メモリ１４から読み出されてＰＣ３０に出力される（＃２６３）。
【０１８２】
続いて、画素ずらし光学系２０が第１の位置から第２の位置に切り換えられ（＃２６５）、再度、先頭コマが白色の光で照明された状態でＣＣＤ９により読み取られる（＃２６７）。この画像信号も上述と同様に所定のアナログ信号処理とデジタル信号処理とが行われて輝度ポジデータ（以下、第２輝度ポジデータという。）に反転されるとともに、圧縮されて画像メモリ１４に一旦、記憶される（＃２６９，＃２７１）。この第２輝度ポジデータは、画素ずらし法により高精細化するための第２の輝度データに相当し、出力Ｉ／Ｏ１６により所定のタイミングで画像メモリ１４から読み出されてＰＣ３０に出力される（＃２７３）。
【０１８３】
続いて、最終コマのフィルム画像の読取りが終了したか否かが判別され（＃２７５）、終了していなければ（＃２７５でＮＯ）、次のコマのフィルム画像を読み取るべくステップ＃２５５に戻り、フィルム５を給送して次のコマが所定の撮像位置に設定される（＃２５５）、次のコマが所定の撮像位置に設定されると、上述と同様の手順で画素ずらし光学系２０を切り換えて次のコマのフィルム画像が２回読み取られ、それぞれ第１，第２輝度ポジデータに変換されて順次、ＰＣ３０に出力される（＃２５７〜＃２７３）。
【０１８４】
そして、以下同様に各コマのフィルム画像が読み取られ（＃２５５〜＃２７５のループ）、全てのコマのフィルム画像の読取りが終了すると（＃２７５でＹＥＳ）、フィルム５がフィルムカートリッジ４内に巻き戻され、イジェクト可能にして処理を終了する（＃２７７）。
【０１８５】
（３）カラーポジのフィルム画像を読取り、画像信号をＰＣ３０に出力する場合の処理（図１９のフローチャート）。
【０１８６】
図１９に示すフローチャートの処理手順は、ステップ＃６９〜＃９７の処理手順に対して、照明色の切換順をＲ→Ｇ→ＢからＲ→Ｂ→Ｇに変更し、最後の照明色Ｇに対して画素ずらし光学系２０の位置を切り換えて２回、フィルム画像を取り込むようにしたものである。従って、ステップ＃２８１〜＃２９９の処理の内容は実質的にステップ＃６９〜＃８７の処理内容と同一であるから、ここでは、ステップ＃３０１以降の処理について説明する。
【０１８７】
照明色Ｒ，Ｂについてフィルム画像の読取り及び画像信号の出力処理が終了すると、続いて、フィルタ部材３０２が緑のカラーフィルタ３０２ｃに切り換えられ、先頭コマが照明部３からの緑色の光で照明される。そして、この照明により形成される緑の色成分の光像がＣＣＤ９で画像信号に光電変換されて取り込まれる（＃３０１）。
【０１８８】
ＣＣＤ９で取り込まれた画像信号（Ｇの色成分のポジ画像信号）についても上述したＲの色成分のポジ画像信号と同様の所定のアナログ信号処理とデジタル信号処理とが行われ、Ｇの色成分の画像データ（Ｇ１ポジデータ）はネガ／ポジ反転が行われることなく所定の圧縮率で圧縮されて画像メモリ１４に一旦、記憶される（＃３０２，＃３０３）。このＧ１ポジデータは、画素ずらし法により高精細化するための第１の輝度データに相当し、出力Ｉ／Ｏ１６により所定のタイミングで画像メモリ１４から読み出されてＰＣ３０に出力される（＃３０５）。
【０１８９】
続いて、画素ずらし光学系２０が第１の位置から第２の位置に切り換えられ（＃３０７）、再度、先頭コマが緑色の光で照明された状態でＣＣＤ９により読み取られる（＃３０９）。この画像信号も上述と同様に所定のアナログ信号処理とデジタル信号処理とが行われ、Ｇの色成分の画像データ（以下、Ｇ２ポジデータという。）が所定の圧縮率で圧縮されて画像メモリ１４に一旦、記憶される（＃３１０，＃３１１）。このＧ２ポジデータは、画素ずらし法により高精細化するための第２の輝度データに相当し、出力Ｉ／Ｏ１６により所定のタイミングで画像メモリ１４から読み出されてＰＣ３０に出力される（＃３１３）。
【０１９０】
続いて、最終コマのフィルム画像の読取りが終了したか否かが判別され（＃３１５）、終了していなければ（＃３１５でＮＯ）、ステップ＃２８５に戻り、次のコマを所定の撮像位置に設定するべくフィルム５が給送され、次のコマが所定の撮像位置に設定されると、上述した手順と同様の手順で次のコマのフィルム画像がＲ，Ｂ，Ｇの色成分に分離して順次、読み取られるとともに、Ｇの色成分については画素ずらし光学系２０を切り換えて２回読み取られ、それぞれＲ，Ｂ，Ｇ１，Ｇ２のポジデータがネガ／ポジ反転されることなく所定の圧縮率で圧縮されてＰＣ３０に出力される（＃２８５〜＃３１３）。
【０１９１】
そして、以下同様に各コマのフィルム画像が読み取られ（＃２８５〜＃３１５のループ）、全てのコマのフィルム画像の読取りが終了すると（＃３１５でＹＥＳ）、フィルム５がフィルムカートリッジ４内に巻き戻され、イジェクト可能にして処理を終了する（＃３１７）。
【０１９２】
カラーフィルムに記録されたフィルム画像を読み込んで、画像信号をＰＲ４０に出力する処理についても、図９〜図１２のフローチャートのステップ＃１０３〜＃１３９、ステップ＃１４３〜＃１５９、ステップ＃１６１〜＃１８７の各処理手順を図１６〜図１９の各フローチャートと同様の内容に修正することにより画素ずらし法を適用した処理手順とすることができる。なお、この場合は、ステップ＃２０３，＃２５３，＃２８３では圧縮処理が「無し」に設定され、各色の読み取られた画像データの圧縮処理は行なわれない。
【０１９３】
従って、カラーネガのフィルム画像を読取り、画像信号をＰＲ４０に出力する場合は、ステップ＃１０３〜＃１３９の処理手順に対して、照明色の切換順をＲ→Ｇ→ＢからＲ→Ｂ→Ｇに変更し、最後の照明色Ｇに対して画素ずらし光学系２０の位置を切り換えて２回、フィルム画像を取り込むようにすればよく、カラーポジのフィルム画像を読取り、画像信号をＰＲ４０に出力する場合は、ステップ＃１６１〜＃１８７の処理手順に対して、照明色の切換順をＣ→Ｍ→ＹからＣ→Ｙ→Ｍに変更し、最後の照明色Ｍに対して画素ずらし光学系２０の位置を切り換えて２回、フィルム画像を取り込むようにすればよい。また、モノクロームネガのフィルム画像を読取り、画像信号をＰＲ４０に出力する場合は、画像信号をＰＲ３０に出力する場合と同様に画素ずらし光学系２０の位置を切り換えて２回、フィルム画像を取り込むようにすればよい。
【０１９４】
図２０〜図２２に示すフローチャートは、カラーフィルムに記録されたフィルム画像を読み込んで、画像信号をＣＭＹＫの色成分で画像処理を行なうプリンタに出力する場合（表３のＮｏ．３′，Ｎｏ．６′参照）に画素ずらし法を適用した処理手順を示すものである。
【０１９５】
図２０〜図２２の各フローチャートに示す処理手順は、図９〜図１２のフローチャートのステップ＃１０３〜＃１３９、ステップ＃１６１〜＃１８７にそれぞれ対応し、基本的な処理手順は略同じである。なお、ステップ＃２０３，＃２５３，＃２８３では圧縮処理が「無し」に設定され、各色の読み取られた画像データの圧縮処理は行なわれない。
【０１９６】
従って、以下の説明では各フローチャートについて、図９〜図１２のフローチャートの対応するステップの処理との相違点と画素ずらし法に関する部分について説明する。
【０１９７】
（４）カラーネガのフィルム画像を読取り、画像信号をＰＲ４０に出力する場合の処理（図２０，図２１のフローチャート）。
【０１９８】
図２０，図２１に示すフローチャートの処理手順は、ステップ＃１０３〜＃１３９の処理手順に対して、照明色に白色（Ｗｈ）を追加し、Ｒ，Ｇ，Ｂの各照明色についてフィルム画像を読み取った後、白色の照明色で画素ずらし光学系２０の位置を切り換えて２回、フィルム画像を取り込むようにしたものである。従って、ステップ＃３２１〜＃３５１の処理内容は実質的にステップ＃１０３〜＃１３３の処理内容と同一であるから、ここでは、図２１のステップ＃３５３以降の処理について説明する。
【０１９９】
照明色Ｒ，Ｇ，Ｂについてフィルム画像の読取り及び画像信号の出力処理が終了すると、続いて、フィルタ部材３０２が透明板３０２ａに切換設定されて先頭コマが照明部３からの白色の光で照明される。そして、この照明により形成される光像がＣＣＤ９で画像信号に光電変換されて取り込まれ（＃３５３）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正等の所定のデジタル信号処理が行われる。このデジタル信号処理では、ＷＢ調整と圧縮処理とは行われず、ネガ／ポジ反転処理により輝度ポジデータに反転された後、γ補正されて画像メモリ１４に一旦、記憶される（＃３５７，＃３５９）。この輝度ポジデータは、画素ずらし法により高精細化するための第１の輝度データ（以下、第１輝度ポジデータという。）に相当し、出力Ｉ／Ｏ１６により所定のタイミングで画像メモリ１４から読み出されてＰＲ４０に出力される（＃３６１）。
【０２００】
続いて、画素ずらし光学系２０が第１の位置から第２の位置に切り換えられ（＃３６３）、再度、先頭コマが白色の光で照明された状態でＣＣＤ９により読み取られる（＃３６５）。この画像信号も上述と同様に所定のアナログ信号処理とデジタル信号処理とが行われて輝度ポジデータ（以下、第２輝度ポジデータという。）に反転された後、γ補正されて画像メモリ１４に一旦、記憶される（＃３６７，＃３６９）。この第２輝度ポジデータは、画素ずらし法により高精細化するための第２の輝度データに相当し、出力Ｉ／Ｏ１６により所定のタイミングで画像メモリ１４から読み出されてＰＲ４０に出力される（＃３７１）。
【０２０１】
続いて、最終コマのフィルム画像の読取りが終了したか否かが判別され（＃３７３）、終了していなければ（＃３７３でＮＯ）、次のコマを所定の撮像位置に設定するべくフィルム５が給送され（＃３８５）、次のコマが所定の撮像位置に設定されると、ステップ＃３２９に戻り、上述した手順と同様の手順で次のコマのフィルム画像がＲ，Ｂ，Ｇの色成分に分離して順次、読み取られるとともに、輝度成分については画素ずらし光学系２０を切り換えて２回読み取られ、それぞれＣ，Ｍ，Ｙ，第１輝度，第２輝度のポジデータにネガ／ポジ反転されて圧縮されることなくＰＲ４０に出力される（＃３２９〜＃３６９）。
【０２０２】
そして、以下同様に各コマのフィルム画像が読み取られ（＃３２９〜＃３７３のループ）、全てのコマのフィルム画像の読取りが終了すると（＃３７１でＹＥＳ）、フィルム５がフィルムカートリッジ４内に巻き戻され、イジェクト可能にして処理を終了する（＃３７５）。
【０２０３】
（５）カラーポジのフィルム画像を読取り、画像信号をＰＲ４０に出力する場合の処理（図２２のフローチャート）
図２２に示すフローチャートの処理手順は、ステップ＃１６１〜＃１８７の処理手順に対して、照明色に白色（Ｗｈ）を追加し、Ｃ，Ｍ，Ｙの各照明色についてフィルム画像を読み取った後、白色の照明色で画素ずらし光学系２０の位置を切り換えて２回、フィルム画像を取り込むようにしたものである。従って、ステップ＃３８１〜＃４０３の処理内容は実質的にステップ＃１６１〜＃１８３の処理内容と同一であるから、ここでは、ステップ＃４０５以降の処理について説明する。
【０２０４】
照明色Ｃ，Ｍ，Ｙについてフィルム画像の読取り及び画像信号の出力処理が終了すると、続いて、フィルタ部材３０２が透明板３０２ａに切換設定されて先頭コマが照明部３からの白色の光で照明される。そして、この照明により形成される光像がＣＣＤ９で画像信号に光電変換されて取り込まれ（＃４０５）、その画像信号は、アナログプロセス回路１０に読み出され、ノイズ低減やレベル調整等の所定のアナログ信号処理が行われた後、Ａ／Ｄ変換回路１１でデジタルの画像データに変換されて画像処理部１３に入力され、更にこの画像処理部１３でγ補正等の所定のデジタル信号処理が行われる。このデジタル信号処理では、ＷＢ調整、ネガ／ポジ反転及び圧縮処理は行われず、輝度ポジデータがγ補正された後、圧縮されることなく画像メモリ１４に一旦、記憶される（＃４０７）。この輝度ポジデータは、画素ずらし法により高精細化するための第１輝度ポジデータに相当し、出力Ｉ／Ｏ１６により所定のタイミングで画像メモリ１４から読み出されてＰＲ４０に出力される（＃４０９）。
【０２０５】
続いて、画素ずらし光学系２０が第１の位置から第２の位置に切り換えられ（＃４１１）、再度、先頭コマが白色の光で照明された状態でＣＣＤ９により読み取られる（＃４１３）。この画像信号も上述と同様に所定のアナログ信号処理とデジタル信号処理とが行われて第２輝度ポジデータがγ補正された後、圧縮されることなく画像メモリ１４に一旦、記憶される（＃４１５）。この第２輝度ポジデータは、画素ずらし法により高精細化するための第２の輝度データに相当し、出力Ｉ／Ｏ１６により所定のタイミングで画像メモリ１４から読み出されてＰＲ４０に出力される（＃４１７）。
【０２０６】
続いて、最終コマのフィルム画像の読取りが終了したか否かが判別され（＃４１９）、終了していなければ（＃４１９でＮＯ）、ステップ＃３８５に戻り、次のコマを所定の撮像位置に設定するべくフィルム５が給送され、次のコマが所定の撮像位置に設定されると、上述した手順と同様の手順で次のコマのフィルム画像がＣ，Ｍ，Ｙの色成分に分離して順次、読み取られるとともに、輝度成分については画素ずらし光学系２０を切り換えて２回読み取られ、それぞれＣ，Ｍ，Ｙ，第１輝度，第２輝度のポジデータが圧縮されることなくＰＲ４０に出力される（＃３８５〜＃４１７）。
【０２０７】
そして、以下同様に各コマのフィルム画像が読み取られ（＃３８５〜＃４１９のループ）、全てのコマのフィルム画像の読取りが終了すると（＃４１９でＹＥＳ）、フィルム５がフィルムカートリッジ４内に巻き戻され、イジェクト可能にして処理を終了する（＃４２１）。
【０２０８】
なお、上述のフローチャートでは自動的に画素ずらし法を適用するようにしているが、フィルム画像読取装置１′に高精細画像読取モードを設け、操作部１９から高精細画像読取モードが設定されているときにのみ画素ずらし法を適用してフィルム画像を読み取るようにしてもよい。このようにすれば、ユーザのニーズに合った画質を自由に選択でき、使い勝手がより向上する。
【０２０９】
上記のように、第２の実施形態に係るフィルム画像読取装置１′では、輝度データに相当するデータに対して画素ずらし法により２枚の画像データを読み取り、それぞれＰＣ３０若しくはＰＲ４０に出力するようにしているので、出力機器側で高精細のフィルム画像を得ることができる。
【０２１０】
なお、上記実施の形態では、撮像素子としてエリアセンサを用いているが、ラインセンサを用いてフィルム画像を読み取るようにしてもよい。ラインセンサを用いた場合は、エリアセンサに比べてフィルム画像の読取速度は低下するが、画素ずらし法を適用することなく高解像度の画像データを取り込むことができる利点がある。
【０２１１】
また、上記実施の形態では、フィルムのように画像が形成されたシート部材に照明光を透過させて当該画像の光像が形成されるタイプについて説明したが、本発明はこのタイプに限定されるものではなく、画像が形成されたシート部材に照明光を反射させて当該画像の光像が形成されるタイプ（例えば原稿画像など）についても適用することができる。
【０２１２】
また、本実施の形態では、カラー画像の色成分の取扱いの異なる出力機器としてパーソナルコンピュータとプリンタとを接続可能にしているが、Ｒ，Ｇ，Ｂの色成分でカラー画像を取り扱う機器としてはパーソナルコンピュータに限定されるものではなく、例えばＣＲＴやＬＣＤ（Ｌｉｑｕｉｄ  Ｃｒｙｓｔａｌ  Ｄｉｓｐｌａｙ）等の表示装置でもよく、Ｃ，Ｍ，Ｙの色成分でカラー画像を取り扱う機器としてはプリンタに限定されるものではなく、例えば印刷機や印画紙を露光することで画像を顕像化するプリント機などでもよい。
【０２１３】
【発明の効果】
以上説明したように、本発明によれば、画像が記録されたシート部材を照明光で照射し、その画像を撮像手段で撮像してその撮像画像を外部接続された出力機器に出力する画像読取装置において、第１の三原色とこれと補色関係にある第２の三原色とからなる６種類の色が発光可能な照明手段と、撮像手段で取り込まれた画像信号の明暗及び色彩を反転する信号反転手段とを設け、フィルムのネガ／ポジの種類に基づいて照明手段の発光色を設定するとともに、出力される画像信号が出力機器の取扱可能な色成分の画像信号となるように信号反転手段の反転の有無を制御するようにしたので、高画質の画像を読み取ることができるとともに、出力機器での画像データの取扱いが容易となり、画質劣化の少ない画像を出力することができる。
【０２１４】
特に三原色の色成分の画像に加えて白色照明により輝度成分の画像を取り込むようにしたので、パーソナルコンピュータやプリンタを介して読取画像を再生する際、色再現性に優れた再生画像を得ることができる。また、画像の圧縮や出力機器への送信の際、圧縮処理及び送信処理の高速化も可能となる。
【０２１５】
また、照明手段を、赤、緑、青の単色光を発光する３種類の光源とこれらの光源の発光を制御する発光制御手段とで構成したので、照明手段の構造が簡単かつ小型になる。
【０２１６】
また、新写真システムに適用されるフィルムの場合、フィルムカートリッジに記録されたフィルム情報を読み取り、その情報内容に基づいてフィルムの陰陽の種類を自動設定するようにしたので、フィルムの種類のマニュアル設定操作が不要になり、操作性が向上する。また、出力機器の接続状態を判別して出力すべき画像信号の色の種類を自動設定するようにしてので、マニュアルでのその操作が不要になり、操作性が向上する。
【０２１７】
また、各色成分の画像信号を撮像手段で取り込まれる毎に、外部接続される出力機器に順次、出力するようにしたので、全色成分の画像信号を一括して出力する場合に比して画像信号のメモリ容量を低減することができ、コスト低減に寄与する。
【０２１８】
また、Ｒ，Ｇ，Ｂの三原色で画像処理が行われる出力機器に撮像手段で取り込まれた画像信号が出力されるときは、当該画像信号を圧縮し、Ｃ，Ｍ，Ｙの三原色で画像処理が行われる出力機器に画像信号が出力されるときは、当該画像信号を圧縮しないようにしたので、画像データのＲＧＢ対応の出力機器への転送を迅速に行なうことができるとともに、ＣＭＹ対応の出力機器への転送及び信号処理を効率よく行なうことができる。
【０２１９】
また、撮像手段の撮像面に対する被写体光像の結像位置を当該撮像手段の画素ピッチよりも小さい所定量だけ変位可能にし、少なくとも１の照明色について撮像面に対する被写体光像の結像位置を変位させて複数の画像を取り込むようにしたので、両画像を用いて読取画像の高精細化が可能になる。
【０２２０】
また、高精細画像読取モードを設定可能にし、高精細画像読取モードが設定されたとき、撮像面に対する被写体光像の結像位置を変位させて高精細化が可能な画像データを読み取るようにしたので、ユーザのニーズに合った画質を自由に選択でき、画像読取装置の使い勝手が向上する。
【図面の簡単な説明】
【図１】本発明に係るフィルム画像読取装置の第１の実施形態のブロック構成図である。
【図２】第１の実施形態に係る照明部の概略構成を示す斜視図である。
【図３】第２の実施形態に係る照明部の概略構成を示す斜視図である。
【図４】第３の実施形態に係る照明部の概略構成を示す斜視図である。
【図５】本発明に係るフィルム画像読取装置のフィルム画像の読取り及び画像データの出力の処理を示すフローチャートである。
【図６】本発明に係るフィルム画像読取装置のフィルム画像の読取り及び画像データの出力の処理を示すフローチャートである。
【図７】本発明に係るフィルム画像読取装置のフィルム画像の読取り及び画像データの出力の処理を示すフローチャートである。
【図８】本発明に係るフィルム画像読取装置のフィルム画像の読取り及び画像データの出力の処理を示すフローチャートである。
【図９】本発明に係るフィルム画像読取装置のフィルム画像の読取り及び画像データの出力の処理を示すフローチャートである。
【図１０】本発明に係るフィルム画像読取装置のフィルム画像の読取り及び画像データの出力の処理を示すフローチャートである。
【図１１】本発明に係るフィルム画像読取装置のフィルム画像の読取り及び画像データの出力の処理を示すフローチャートである。
【図１２】本発明に係るフィルム画像読取装置のフィルム画像の読取り及び画像データの出力の処理を示すフローチャートである。
【図１３】本発明に係るフィルム画像読取装置の第２の実施形態のブロック構成図である。
【図１４】画素ずらし光学系の概略構成を示す図である。
【図１５】画素ずらし光学系を第１の位置と第２の位置とに切り換えた場合の被写体に対する撮像面の相対的な位置ずれを示す図である。
【図１６】第２の実施形態に係るフィルム画像読取装置のカラーネガのフィルム画像を読取り、パーソナルコンピュータに出力する場合の処理手順を示すフローチャートである。
【図１７】第２の実施形態に係るフィルム画像読取装置のカラーネガのフィルム画像を読取り、パーソナルコンピュータに出力する場合の処理手順を示すフローチャートである。
【図１８】第２の実施形態に係るフィルム画像読取装置のモノクロームネガのフィルム画像を読取り、パーソナルコンピュータに出力する場合の処理手順を示すフローチャートである。
【図１９】第２の実施形態に係るフィルム画像読取装置のカラーポジのフィルム画像を読取り、パーソナルコンピュータに出力する場合の処理手順を示すフローチャートである。
【図２０】第２の実施形態に係るフィルム画像読取装置のカラーネガのフィルム画像を読取り、ＣＭＹＫの色成分で画像処理を行なうプリンタに出力する場合の処理手順を示すフローチャートである。
【図２１】第２の実施形態に係るフィルム画像読取装置のカラーネガのフィルム画像を読取り、ＣＭＹＫの色成分で画像処理を行なうプリンタに出力する場合の処理手順を示すフローチャートである。
【図２２】第２の実施形態に係るフィルム画像読取装置のカラーポジのフィルム画像を読取り、ＣＭＹＫの色成分で画像処理を行なうプリンタに出力する場合の処理手順を示すフローチャートである。
【符号の説明】
１，１′  フィルム画像読取装置（画像読取装置）
２  フィルム給送部
３，３′，３″  照明部（照明手段）
３０１，３０１′，３０１″  光源
３０２  フィルタ部材
３０３  駆動部材
３０４  位置検出部材
３０５  拡散板
３０６  導光板
４  フィルムカートリッジ
５  フィルム（シート部材）
６  フィルム情報読取部
７  磁気情報読取部
８  撮影レンズ
９  撮像素子（撮像手段）
１０  アナログプロセス回路
１１  Ａ／Ｄ変換回路
１２  タイミングジェネレータ
１３  画像処理部（画像合成手段）
１３１  ネガ／ポジ反転処理部
１３２  画像圧縮部（画像圧縮手段）
１４  画像メモリ
１５  メモリコントローラ
１６  出力Ｉ／Ｏ
１７ａ，１７ｂ  コネクタ（第１，第２の接続手段）
１８  制御部（第１，第２の設定手段、制御手段、発光制御手段、圧縮制御手段、撮像制御手段）
１８１  フィルム情報判別部
１９  操作部（出力色設定手段，モード設定手段）
２０  画素ずらし光学系（像変位手段，光学手段）
２１  駆動部（像変位制御手段）
３０  パーソナルコンピュータ（出力機器）
４０  プリンタ（出力機器）
【図１】
0003552602.tif 000005
【図２】
0003552602.tif 000006
【図３】
0003552602.tif 000007
【図４】
0003552602.tif 000008
【図５】
0003552602.tif 000009
【図６】
0003552602.tif 000010
【図７】
0003552602.tif 000011
【図８】
0003552602.tif 000012
【図９】
0003552602.tif 000013
【図１０】
0003552602.tif 000014
【図１１】
0003552602.tif 000015
【図１２】
0003552602.tif 000016
【図１３】
0003552602.tif 000017
【図１４】
0003552602.tif 000018
【図１５】
0003552602.tif 000019
【図１６】
0003552602.tif 000020
【図１７】
0003552602.tif 000021
【図１８】
0003552602.tif 000022
【図１９】
0003552602.tif 000023
【図２０】
0003552602.tif 000024
【図２１】
0003552602.tif 000025
【図２２】
0003552602.tif 000026